(57)【特許請求の範囲】
【請求項１】
住宅仕様の確定を支援するための住宅仕様確定支援システムであって、前記住宅仕様の確定に必要なデータを管理するサーバと、このサーバにネットワークを介して接続された利用者が操作する端末装置と、を含んで構成され、
前記サーバは、
顧客別の住宅仕様情報を前記顧客の識別情報と関連付けて記憶する住宅仕様情報記憶手段と、
少なくとも、住宅メーカーにより予め選定されたメーカー仕様の前記住宅仕様情報で構成されるメーカー仕様住宅施工事例情報を、この施工事例の識別情報と関連付けて記憶する住宅施工事例情報記憶手段と、
少なくとも、前記住宅施工事例情報記憶手段に記憶された前記メーカー仕様住宅施工事例情報の一覧を表示するとともにこの一覧から前記メーカー仕様住宅施工事例情報を選択させるためのメーカー仕様住宅施工事例情報選択画面の表示用データを前記端末装置へ送信するとともに、前記メーカー仕様住宅施工事例情報選択画面で選択されて前記端末装置から前記ネットワークを介して送信されてくる前記メーカー仕様住宅施工事例情報を受信する処理を実行する住宅施工事例情報選択受付処理手段と、
少なくとも、前記住宅施工事例情報選択受付処理手段により受け付けた前記メーカー仕様住宅施工事例情報を、前記端末装置で入力されてこの端末装置から前記ネットワークを介して送信されてくる前記顧客の前記識別情報と関連付けて前記住宅仕様情報記憶手段に記憶させる処理を実行する住宅施工事例情報参照登録処理手段と、
を備え、
前記住宅施工事例情報記憶手段は、住宅販売店により予め選定された販売店仕様の前記住宅仕様情報で構成される販売店仕様住宅施工事例情報を、この施工事例の識別情報と関連付けて記憶し、
前記住宅施工事例情報選択受付処理手段は、前記住宅施工事例情報記憶手段に記憶された前記販売店仕様住宅施工事例情報の一覧を表示するとともにこの一覧から前記販売店仕様住宅施工事例情報を選択させるための販売店仕様住宅施工事例情報選択画面の表示用データを前記端末装置へ送信するとともに、前記販売店仕様住宅施工事例情報選択画面で選択されて前記端末装置から前記ネットワークを介して送信されてくる前記販売店仕様住宅施工事例情報を受信する処理を実行し、
前記住宅施工事例情報参照登録処理手段は、前記住宅施工事例情報選択受付処理手段により受け付けた前記販売店仕様住宅施工事例情報を、前記端末装置で入力されてこの端末装置から前記ネットワークを介して送信されてくる前記顧客の前記識別情報と関連付けて前記住宅仕様情報記憶手段に記憶させる処理を実行することを特徴とする住宅仕様確定支援システム。
【請求項２】
請求項１に記載の住宅仕様確定支援システムにおいて、前記住宅施工事例情報記憶手段には、前記メーカー仕様住宅施工事例の画像情報が記憶されており、前記メーカー仕様住宅施工事例情報選択画面の表示用データには、前記メーカー仕様住宅施工事例の前記画像情報が含まれていることを特徴とする住宅仕様確定支援システム。
【請求項３】
請求項１又は２に記載の住宅仕様確定支援システムにおいて、
前記住宅施工事例情報記憶手段に記憶されている前記メーカー仕様住宅施工事例情報には、少なくとも、前記施工事例の前記識別情報と、前記施工事例の住宅の構成部材の属性情報と、前記構成部材の識別情報と、前記構成部材が属するカテゴリの識別情報と、が含まれており、
前記サーバは、
前記メーカー仕様住宅施工事例情報選択画面で選択された前記施工事例の前記識別情報を有する前記メーカー仕様住宅施工事例情報の前記カテゴリの一覧を表示するとともにこの一覧から前記顧客の前記識別情報と関連付けて前記住宅仕様情報記憶手段に記憶させる前記メーカー仕様住宅施工事例情報の前記カテゴリを少なくとも１個選択させるための住宅施工事例情報カテゴリ表示・選択画面の表示用データを、前記端末装置へ送信するとともに、前記住宅施工事例情報カテゴリ表示・選択画面で選択されて前記端末装置から前記ネットワークを介して送信されてくる前記メーカー仕様住宅施工事例情報の前記カテゴリの前記識別情報を受信する処理を実行する住宅施工事例情報カテゴリ選択受付処理手段を備え、
前記住宅施工事例情報参照登録処理手段は、少なくとも、住宅施工事例情報カテゴリ選択受付処理手段により受け付けた前記カテゴリに属する前記構成部材の前記属性情報を、前記端末装置で入力されてこの端末装置から前記ネットワークを介して送信されてくる前記顧客の前記識別情報と関連付けて前記住宅仕様情報記憶手段に記憶させる処理を実行することを特徴とする住宅仕様確定支援システム。
【請求項４】
請求項１〜３のいずれかに記載の住宅仕様確定支援システムにおいて、前記住宅施工事例情報記憶手段には、前記販売店仕様住宅施工事例の画像情報が記憶されており、前記販売店仕様住宅施工事例情報選択画面の表示用データには、前記販売店仕様住宅施工事例の前記画像情報が含まれていることを特徴とする住宅仕様確定支援システム。
【請求項５】
請求項１〜４のいずれかに記載の住宅仕様確定支援システムにおいて、
前記住宅施工事例情報記憶手段に記憶されている前記販売店仕様住宅施工事例情報には、少なくとも、前記施工事例の前記識別情報と、前記施工事例の住宅の構成部材の属性情報と、前記構成部材の識別情報と、前記構成部材が属するカテゴリの識別情報と、が含まれており、
前記住宅施工事例情報カテゴリ選択受付処理手段は、前記販売店仕様住宅施工事例情報選択画面で選択された前記施工事例の前記識別情報を有する前記販売店仕様住宅施工事例情報の前記カテゴリの一覧を表示するとともにこの一覧から前記顧客の前記識別情報と関連付けて前記住宅仕様情報記憶手段に記憶させる前記販売店仕様住宅施工事例情報の前記カテゴリを少なくとも１個選択させるための前記住宅施工事例情報カテゴリ表示・選択画面の表示用データを、前記端末装置へ送信するとともに、前記住宅施工事例情報カテゴリ表示・選択画面で選択されて前記端末装置から前記ネットワークを介して送信されてくる前記販売店仕様住宅施工事例情報の前記カテゴリの前記識別情報を受信する処理を実行し、
前記住宅施工事例情報参照登録処理手段は、少なくとも、前記住宅施工事例情報カテゴリ選択受付処理手段により受け付けた前記カテゴリに属する前記構成部材の前記属性情報を、前記端末装置で入力されてこの端末装置から前記ネットワークを介して送信されてくる前記顧客の前記識別情報と関連付けて前記住宅仕様情報記憶手段に記憶させる処理を実行することを特徴とする住宅仕様確定支援システム。
【請求項６】
請求項１〜５のいずれかに記載の住宅仕様確定支援システムにおいて、前記サーバは、前記端末装置へ送信する前記メーカー仕様住宅施工事例情報選択画面の前記表示用データと、前記販売店仕様住宅施工事例情報選択画面の前記表示用データと、を前記端末装置からの要求信号に応じて切り換える処理を実行する住宅施工事例情報選択画面切換処理手段を備えていることを特徴とする住宅仕様確定支援システム。
【請求項７】
請求項１〜６のいずれかに記載の住宅仕様確定支援システムにおいて、
前記サーバは、
前記住宅仕様情報記憶手段に記憶されている前記顧客別の前記住宅仕様情報のうち、前記端末装置で入力されてこの端末装置から前記ネットワークを介して送信されてくる前記顧客の前記識別情報を有する前記住宅仕様情報を、前記顧客の前記識別情報をキーとして、前記住宅仕様情報記憶手段から抽出する住宅仕様情報抽出処理手段と、
この住宅仕様情報抽出処理手段により抽出された前記顧客の前記住宅仕様情報を、前記施工事例の前記識別情報と関連付けて前記住宅施工事例情報記憶手段に記憶する処理を実行する既登録住宅仕様情報参照登録処理手段を備えていることを特徴とする住宅仕様確定支援システム。
【請求項８】
請求項１〜７のいずれかに記載の住宅仕様確定支援システムにおいて、
前記住宅仕様情報記憶手段に記憶されている前記顧客別の前記住宅仕様情報には、少なくとも、前記住宅の構成部材の属性情報と、前記構成部材の画像情報と、前記構成部材の識別情報と、前記構成部材が属するカテゴリの識別情報と、が含まれており、
前記サーバは、前記住宅仕様情報記憶手段に記憶されている前記顧客別の前記住宅仕様情報のうち、少なくとも仕様が確定した前記住宅の前記構成部材の前記属性情報及び前記画像情報に基づき、パーソナルコンピュータのアプリケーションソフトウェアで読み込み可能なファイル形式の帳票データファイルを作成する処理を実行する帳票データファイル作成処理手段と、この帳票データファイル作成処理手段により作成された前記帳票データファイルを前記端末装置に送信する処理を実行する帳票データファイル送信処理手段を備えていることを特徴とする住宅仕様確定支援システム。
【発明の詳細な説明】
【技術分野】
【０００１】
本発明は、住宅仕様の確定を支援するための住宅仕様確定支援システムに係り、例えば、プレハブ住宅の仕様の確定を支援するために利用することができる。
【背景技術】
【０００２】
従来より、コンピュータを利用して住宅仕様の確定を支援するための住宅仕様確定支援システムが提案されている。
【０００３】
下記の特許文献１に示されている住宅仕様確定支援システムとなっているＣＡＤシステムでは、プレハブ住宅の販売店の担当者が、顧客と建築する住宅の仕様について複数回打合せを行い、その都度、担当者が打合せで確定した住宅の仕様情報をシステムを構成するコンピュータのディスプレイに表示される住宅の仕様情報を選択入力させるための住宅仕様情報入力画面に選択入力するものとなっている。そして、ＣＡＤシステムは、この選択入力された仕様情報に基づいて顧客別の住宅の設計図を作成するようになっている。
【先行技術文献】
【特許文献】
【０００４】
【特許文献１】特開２００４−１９９６１３号公報
【発明の概要】
【発明が解決しようとする課題】
【０００５】
ところで、近年における顧客の住宅に対する嗜好の多様化に伴い、住宅仕様も多種多様化しているため、住宅仕様確定支援システムにおいても、顧客に仕様を確定してもらう項目が多岐にわたっている。これにより、住宅仕様を確定するための打合せに時間が掛かっていた。
【０００６】
このため、多種多様化している住宅仕様の確定をより迅速に行える住宅仕様確定支援システムの工夫が求められていた。
【０００７】
本発明の目的は、住宅仕様の確定をより迅速に行えるようになる住宅仕様確定支援システムを提供するところにある。
【課題を解決するための手段】
【０００８】
本発明に係る住宅仕様確定支援システムは、住宅仕様の確定を支援するための住宅仕様確定支援システムであって、前記住宅仕様の確定に必要なデータを管理するサーバと、このサーバにネットワークを介して接続された利用者が操作する端末装置と、を含んで構成され、前記サーバは、顧客別の住宅仕様情報を前記顧客の識別情報と関連付けて記憶する住宅仕様情報記憶手段と、少なくとも、住宅メーカーにより予め選定されたメーカー仕様の前記住宅仕様情報で構成されるメーカー仕様住宅施工事例情報を、この施工事例の識別情報と関連付けて記憶する住宅施工事例情報記憶手段と、少なくとも、前記住宅施工事例情報記憶手段に記憶された前記メーカー仕様住宅施工事例情報の一覧を表示するとともにこの一覧から前記メーカー仕様住宅施工事例情報を選択させるためのメーカー仕様住宅施工事例情報選択画面の表示用データを前記端末装置へ送信するとともに、前記メーカー仕様住宅施工事例情報選択画面で選択されて前記端末装置から前記ネットワークを介して送信されてくる前記メーカー仕様住宅施工事例情報を受信する処理を実行する住宅施工事例情報選択受付処理手段と、少なくとも、前記住宅施工事例情報選択受付処理手段により受け付けた前記メーカー仕様住宅施工事例情報を、前記端末装置で入力されてこの端末装置から前記ネットワークを介して送信されてくる前記顧客の前記識別情報と関連付けて前記住宅仕様情報記憶手段に記憶させる処理を実行する住宅施工事例情報参照登録処理手段と、を備えていることを特徴とするものである。
【０００９】
本発明では、住宅仕様の確定に必要なデータを管理するサーバは、顧客別の住宅仕様情報を前記顧客の識別情報と関連付けて記憶する住宅仕様情報記憶手段と、少なくとも住宅メーカーにより予め選定されたメーカー仕様の前記住宅仕様情報で構成されるメーカー仕様住宅施工事例情報を、この施工事例の識別情報と関連付けて記憶する住宅施工事例情報記憶手段を備えている。
【００１０】
ここで、住宅仕様情報とは、具体的には、顧客（施主）の住宅を構成する各部材（この部材に付属する部品を含む）の仕様情報（例えば、部材の高さ、幅、奥行、材質、色等）、言い換えると、各部材の属性情報をいう。このため、住宅仕様情報記憶手段は、顧客の住宅を構成する各部材の仕様情報を顧客の識別情報と関連付けて記憶するものである。言い換えると、住宅仕様情報記憶手段には、顧客の住宅を構成する各部材の仕様情報が顧客を識別するための情報と関連付けられて記憶される。
【００１１】
また、住宅施工事例情報とは、住宅の施工事例におけるこの住宅を構成する各部材の仕様情報で構成されたものをいう。なお、施工事例には、実際に施工されていない事例が含まれるものであってもよく、含まれていなくてもよい。また、メーカー仕様とは、住宅を構成する各部材の仕様（属性）が住宅メーカーにより予め選定（確定）された標準的な仕様をいう。
【００１２】
このため、本発明では、住宅施工事例情報記憶手段は、上述したように、少なくとも、住宅メーカーにより予め選定されたメーカー仕様の住宅仕様情報で構成されるメーカー仕様住宅施工事例情報を、この施工事例の識別情報と関連付けて記憶するものとなっている。すなわち、本発明では、少なくとも、施工事例の識別情報をキーとしてメーカー仕様住宅施工事例情報が、住宅施工事例情報記憶手段に記憶されるものとなっている。なお、住宅施工事例情報記憶手段には、１種類のメーカー仕様の住宅施工事例情報が記憶されるものでもよく、複数種類のメーカー仕様の住宅施工事例情報が記憶されるものでもよい。
【００１３】
また、本発明では、サーバは、少なくとも、前記住宅施工事例情報記憶手段に記憶された前記メーカー仕様住宅施工事例情報の一覧を表示するとともにこの一覧から前記メーカー仕様住宅施工事例情報を選択させるためのメーカー仕様住宅施工事例情報選択画面の表示用データを前記端末装置へ送信するとともに、前記メーカー仕様住宅施工事例情報選択画面で選択されて前記端末装置から前記ネットワークを介して送信されてくる前記メーカー仕様住宅施工事例情報を受信する処理を実行する住宅施工事例情報選択受付処理手段と、少なくとも、前記住宅施工事例情報選択受付処理手段により受け付けた前記メーカー仕様住宅施工事例情報を、前記端末装置で入力されてこの端末装置から前記ネットワークを介して送信されてくる前記顧客の前記識別情報と関連付けて前記住宅仕様情報記憶手段に記憶させる処理を実行する住宅施工事例情報参照登録処理手段を備えている。
【００１４】
これによると、サーバでは、前記住宅施工事例情報選択受付処理手段により、前記住宅施工事例情報記憶手段に記憶された前記メーカー仕様住宅施工事例情報の一覧を表示するとともにこの一覧から前記メーカー仕様住宅施工事例情報を選択させるためのメーカー仕様住宅施工事例情報選択画面の表示用データを前記端末装置へ送信する処理が実行される。一方、端末装置では、メーカー仕様住宅施工事例情報選択画面の表示用データを受信する処理が実行され、このメーカー仕様住宅施工事例情報選択画面で選択されたメーカー仕様住宅施工事例情報が、端末装置からネットワークを経由してサーバへ送信する処理が実行される。これにより、サーバでは、前記住宅施工事例情報選択受付処理手段により、端末装置から送信された前記メーカー仕様住宅施工事例情報を受信する処理が実行される。
【００１５】
この後、サーバでは、前記住宅施工事例情報参照登録処理手段により、前記住宅施工事例情報選択受付処理手段により受け付けた前記メーカー仕様住宅施工事例情報を、前記端末装置で入力されてこの端末装置から前記ネットワークを介して送信されてくる前記顧客の前記識別情報と関連付けて前記住宅仕様情報記憶手段に記憶させる処理が実行される。
【００１６】
したがって、本発明では、端末装置の利用者である担当者が、顧客と住宅の仕様情報を確定するための打合せを行うにあたって、担当者は、顧客と住宅を構成する全ての部材についての仕様情報を確定するための打合せを行う必要はない。すなわち、端末装置に表示されるメーカー仕様住宅施工事例情報選択画面において、住宅メーカーにより予め選定されたメーカー仕様の住宅仕様情報で構成されるメーカー仕様住宅施工事例情報を顧客に選択させることにより、この選択されたメーカー仕様住宅施工事例情報が顧客の住宅仕様情報として住宅仕様情報記憶手段に取り込まれる（登録される）ので、この後、担当者は、顧客の希望に応じて住宅仕様情報記憶手段に記憶された住宅仕様情報を適宜追加・変更・削除する作業を行えばよい。
【００１７】
このように、本発明によると、住宅仕様情報を確定するための打合せの時間の短縮を図ることできる。すなわち、住宅仕様情報を確定するための打合せを迅速に行うことができるようになる。
【００１８】
本発明において、メーカー仕様住宅施工事例情報選択画面の表示用データには、メーカー仕様住宅施工事例の画像情報が含まれていてもよく、含まれていなくてもよい。言い換えると、メーカー仕様住宅施工事例情報選択画面の表示用データは、メーカー仕様住宅施工事例の文字情報（仕様情報）と画像情報の両方で構成されるものでもよく、メーカー仕様住宅施工事例の文字情報のみで構成されるものでもよい。
【００１９】
前者の場合によると、端末装置に表示されるメーカー仕様住宅施工事例情報選択画面には、メーカー仕様住宅施工事例の文字情報の他に画像情報も表示されるため、顧客は、メーカー仕様の施工事例を選択し易くなる。なお、前者の場合には、メーカー仕様住宅施工事例の画像情報は、住宅施工事例情報記憶手段に記憶してもよく、この住宅施工事例情報記憶手段とは別の記憶手段に施工事例の識別情報と関連付けて記憶するようにしてもよい。ここで、メーカー仕様住宅施工事例の画像情報とは、例えば、メーカー仕様の施工事例となった住宅の全景画像（全体画像）や、メーカー仕様の施工事例となった住宅を構成する部材（この部材に付属する部品を含む）の全体画像等をいう。
【００２０】
以上の本発明において、メーカー仕様住宅施工事例情報選択画面において顧客が選択した施工事例のメーカー仕様住宅施工事例情報の全データが、そのまま無条件に、住宅施工事例情報参照登録処理手段により顧客の住宅仕様情報として住宅仕様情報記憶手段に取り込まれる（登録される）ようにしてもよく、メーカー仕様住宅施工事例情報選択画面において顧客が選択した施工事例のメーカー仕様住宅施工事例情報のうち、住宅施工事例情報参照登録処理手段により顧客の住宅仕様情報として住宅仕様情報記憶手段に取り込まれる（登録される）データを顧客が適宜選択（一部選択でもよく、全選択でもよい）できるようにしてもよい。
【００２１】
後者の場合を実現させる場合の一例として、前記住宅施工事例情報記憶手段に記憶されている前記メーカー仕様住宅施工事例情報には、少なくとも、前記施工事例の前記識別情報と、前記施工事例の住宅の構成部材の属性情報と、前記構成部材の識別情報と、前記構成部材が属するカテゴリの識別情報と、が含まれるものとし、前記サーバは、前記メーカー仕様住宅施工事例情報選択画面で選択された前記施工事例の前記識別情報を有する前記メーカー仕様住宅施工事例情報の前記カテゴリの一覧を表示するとともにこの一覧から前記顧客の前記識別情報と関連付けて前記住宅仕様情報記憶手段に記憶させる前記メーカー仕様住宅施工事例情報の前記カテゴリを少なくとも１個選択させるための前記住宅施工事例情報カテゴリ表示・選択画面の表示用データを、前記端末装置へ送信するとともに、前記住宅施工事例情報カテゴリ表示・選択画面で選択されて前記端末装置から前記ネットワークを介して送信されてくる前記メーカー仕様住宅施工事例情報の前記カテゴリの前記識別情報を受信する処理を実行する住宅施工事例情報カテゴリ選択受付処理手段を備えるものとし、前記住宅施工事例情報参照登録処理手段は、少なくとも、前記住宅施工事例情報カテゴリ選択受付処理手段により受け付けた前記カテゴリに属する前記構成部材の前記属性情報を、前記端末装置で入力されてこの端末装置から前記ネットワークを介して送信されてくる前記顧客の前記識別情報と関連付けて前記住宅仕様情報記憶手段に記憶させる処理を実行するものを挙げることができる。
【００２２】
これによると、端末装置に表示される住宅施工事例情報カテゴリ表示・選択画面には、メーカー仕様住宅施工事例情報選択画面で選択された施工事例の識別情報を有するメーカー仕様住宅施工事例情報のカテゴリの一覧が表示され、顧客は、このカテゴリの一覧から、この顧客の識別情報と関連付けて住宅仕様情報記憶手段に記憶させるメーカー仕様住宅施工事例情報のカテゴリを少なくとも１個選択することができる。そして、選択されたカテゴリに属する構成部材の属性情報が、住宅施工事例情報参照登録処理手段により、前記顧客の前記識別情報と関連付けて住宅仕様情報記憶手段に記憶させる処理が実行される。したがって、顧客の全カテゴリの構成部材の属性情報が住宅仕様情報記憶手段に既に登録されている場合であっても、メーカー仕様住宅施工事例情報選択画面で選択されたカテゴリに属する構成部材の属性情報を、メーカー仕様住宅施工事例の仕様情報と入れ換えることが可能となる。
【００２３】
以上の本発明において、前記住宅施工事例情報記憶手段は、住宅販売店により予め選定された販売店仕様の前記住宅仕様情報で構成される販売店仕様住宅施工事例情報を、この施工事例の識別情報と関連付けて記憶し、前記住宅施工事例情報選択受付処理手段は、前記住宅施工事例情報記憶手段に記憶された前記販売店仕様住宅施工事例情報の一覧を表示するとともにこの一覧から前記販売店仕様住宅施工事例情報を選択させるための販売店仕様住宅施工事例情報選択画面の表示用データを前記端末装置へ送信するとともに、前記販売店仕様住宅施工事例情報選択画面で選択されて前記端末装置から前記ネットワークを介して送信されてくる前記販売店仕様住宅施工事例情報を受信する処理を実行し、前記住宅施工事例情報参照登録処理手段は、前記住宅施工事例情報選択受付処理手段により受け付けた前記販売店仕様住宅施工事例情報を、前記端末装置で入力されてこの端末装置から前記ネットワークを介して送信されてくる前記顧客の前記識別情報と関連付けて前記住宅仕様情報記憶手段に記憶させる処理を実行するものとしてもよい。
【００２４】
これによると、端末装置に表示される前記メーカー仕様住宅施工事例情報選択画面において、住宅メーカーにより予め選定されたメーカー仕様の住宅仕様情報で構成されるメーカー仕様住宅施工事例情報を顧客に選択させることができることに加えて、端末装置に表示される販売店仕様住宅施工事例情報選択画面において、住宅販売店により予め選定された販売店仕様の住宅仕様情報で構成される販売店仕様住宅施工事例情報も、顧客に選択させることができるようになる。すなわち、顧客が選択できる施工事例の数がそれだけ多くなる。
【００２５】
ここで、販売店仕様とは、住宅を構成する各部材の仕様（属性）が住宅販売店により予め選定（確定）された標準的な仕様をいう。
【００２６】
なお、選択された販売店仕様住宅施工事例情報は、顧客の住宅仕様情報として住宅仕様情報記憶手段に取り込まれる（登録される）。この後、担当者は、顧客の希望に応じて住宅仕様情報記憶手段に記憶された住宅仕様情報を適宜追加・変更・削除する作業を行えばよい。
【００２７】
なお、前述したメーカー仕様住宅施工事例情報選択画面の表示用データと同様に、販売店仕様住宅施工事例情報選択画面の表示用データには、販売店仕様住宅施工事例の画像情報が含まれていてもよく、含まれていなくてもよい。言い換えると、販売店仕様住宅施工事例情報選択画面の表示用データは、販売店仕様住宅施工事例の文字情報と画像情報の両方で構成されるものでもよく、販売店仕様住宅施工事例の文字情報のみで構成されるものでもよい。
【００２８】
前者の場合によると、端末装置に表示される販売店仕様住宅施工事例情報選択画面には、販売店仕様住宅施工事例の文字情報の他に画像情報も表示されるため、顧客は、販売店仕様の施工事例を選択し易くなる。なお、前者の場合には、販売店仕様住宅施工事例の画像情報は、住宅施工事例情報記憶手段に記憶してもよく、この住宅施工事例情報記憶手段とは別の記憶手段に施工事例の識別情報と関連付けて記憶するようにしてもよい。ここで、販売店仕様住宅施工事例の画像情報とは、前述したメーカー仕様住宅施工事例の画像情報と同様に、例えば、販売店仕様の施工事例となった住宅の全景画像（全体画像）や、販売店仕様の施工事例となった住宅を構成する部材（この部材に付属する部品を含む）の全体画像等をいう。
【００２９】
以上の本発明において、販売店仕様住宅施工事例情報選択画面において顧客が選択した施工事例の販売店仕様住宅施工事例情報の全データが、そのまま無条件に、住宅施工事例情報参照登録処理手段により顧客の住宅仕様情報として住宅仕様情報記憶手段に取り込まれる（登録される）ようにしてもよく、販売店仕様住宅施工事例情報選択画面において顧客が選択した施工事例の販売店仕様住宅施工事例情報のうち、住宅施工事例情報参照登録処理手段により顧客の住宅仕様情報として住宅仕様情報記憶手段に取り込まれる（登録される）データを顧客が適宜選択（一部選択でもよく、全選択でもよい）できるようにしてもよい。
【００３０】
後者の場合を実現させる場合の一例として、前記住宅施工事例情報記憶手段に記憶されている前記販売店仕様住宅施工事例情報には、少なくとも、前記施工事例の前記識別情報と、前記施工事例の住宅の構成部材の属性情報と、前記構成部材の識別情報と、前記構成部材が属するカテゴリの識別情報と、が含まれるものとし、前記住宅施工事例情報カテゴリ選択受付処理手段は、前記販売店仕様住宅施工事例情報選択画面で選択された前記施工事例の前記識別情報を有する前記販売店仕様住宅施工事例情報の前記カテゴリの一覧を表示するとともにこの一覧から前記顧客の前記識別情報と関連付けて前記住宅仕様情報記憶手段に記憶させる前記販売店仕様住宅施工事例情報の前記カテゴリを少なくとも１個選択させるための住宅施工事例情報カテゴリ表示・選択画面の表示用データを、前記端末装置へ送信するとともに、前記住宅施工事例情報カテゴリ表示・選択画面で選択されて前記端末装置から前記ネットワークを介して送信されてくる前記販売店仕様住宅施工事例情報の前記カテゴリの前記識別情報を受信する処理を実行するものとし、前記住宅施工事例情報参照登録処理手段は、少なくとも、住宅施工事例情報カテゴリ選択受付処理手段により受け付けた前記カテゴリに属する前記構成部材の前記属性情報を、前記端末装置で入力されてこの端末装置から前記ネットワークを介して送信されてくる前記顧客の前記識別情報と関連付けて前記住宅仕様情報記憶手段に記憶させる処理を実行するものを挙げることができる。
【００３１】
これによると、端末装置に表示される住宅施工事例情報カテゴリ表示・選択画面には、販売店仕様住宅施工事例情報選択画面で選択された施工事例の識別情報を有する販売店仕様住宅施工事例情報のカテゴリの一覧が表示され、顧客は、このカテゴリの一覧から、この顧客の識別情報と関連付けて住宅仕様情報記憶手段に記憶させる販売店仕様住宅施工事例情報のカテゴリを少なくとも１個選択することができる。そして、選択されたカテゴリに属する構成部材の属性情報が、住宅施工事例情報参照登録処理手段により、前記顧客の前記識別情報と関連付けて住宅仕様情報記憶手段に記憶させる処理が実行される。したがって、顧客の全カテゴリの構成部材の属性情報が住宅仕様情報記憶手段に既に登録されている場合であっても、販売店仕様住宅施工事例情報選択画面で選択されたカテゴリに属する構成部材の属性情報を、販売店仕様住宅施工事例の仕様情報と入れ換えることが可能となる。
【００３２】
本発明において、端末装置で、メーカー仕様住宅施工事例情報選択画面によりメーカー仕様の施工事例が選択でき、かつ、販売店仕様住宅施工事例情報選択画面により販売店仕様の施工事例が選択できるようにした場合には、サーバは、端末装置へ送信するメーカー仕様住宅施工事例情報選択画面の表示用データと、販売店仕様住宅施工事例情報選択画面の表示用データと、を端末装置からの要求信号に応じて切り換える処理を実行する住宅施工事例情報選択画面切換処理手段を備えるようにしてもよい。
【００３３】
本発明においては、サーバは、前記メーカー仕様住宅施工事例情報選択画面を使用したメーカー仕様住宅施工事例選択処理や、前記販売店仕様住宅施工事例情報選択画面を使用した販売店仕様住宅施工事例選択処理、その他顧客の住宅の仕様情報を確定するための各処理等を選択するための住宅仕様情報確定処理選択メニュー画面の表示用データを、端末装置へ送信するとともに、前記処理選択メニュー画面で選択されて前記端末装置からネットワークを介して送信されてくる処理選択情報を受信する住宅仕様情報確定処理選択情報受付処理手段を備えるようにし、処理選択メニューから、メーカー仕様住宅施工事例情報選択画面によりメーカー仕様の施工事例の選択、あるいは、販売店仕様住宅施工事例情報選択画面により販売店仕様の施工事例が選択できるようにしてもよい。
【００３４】
しかし、この方式では、メーカー仕様住宅施工事例情報選択画面と販売店仕様住宅施工事例情報選択画面とを切り換えるためには、一旦処理選択メニューに戻る処理を選択し直す必要がある。
【００３５】
このため、サーバは、上述したように、端末装置へ送信するメーカー仕様住宅施工事例情報選択画面の表示用データと、販売店仕様住宅施工事例情報選択画面の表示用データと、を端末装置からの要求信号に応じて切り換える処理を実行する住宅施工事例情報選択画面切換処理手段を備えることがより好ましい。
【００３６】
これによると、端末装置にメーカー仕様住宅施工事例情報選択画面が表示されているときに、端末装置からの要求信号がサーバに送信された場合には、端末装置に表示される選択画面は、販売店仕様住宅施工事例情報選択画面に切り換わり、一方、端末装置に販売店仕様住宅施工事例情報選択画面が表示されているときに、端末装置からの要求信号がサーバに送信された場合には、端末装置に表示される選択画面は、メーカー仕様住宅施工事例情報選択画面に切り換わることになる。このように、端末装置では、メーカー仕様住宅施工事例情報選択画面と住宅仕様施工事例情報選択画面を交互に容易に切り換えることができる。
【００３７】
なお、「端末装置からの要求信号」とは、端末装置に表示される画面に配置された画面切換ボタンや画面切換タブがクリックされることにより端末装置からサーバに送信される画面を識別するための識別信号をいう。
【００３８】
以上の本発明において、サーバには、前記住宅仕様情報記憶手段に記憶されている前記顧客別の前記住宅仕様情報のうち、前記端末装置で入力されてこの端末装置から前記ネットワークを介して送信されてくる前記顧客の前記識別情報を有する前記住宅仕様情報を、前記顧客の前記識別情報をキーとして、前記住宅仕様情報記憶手段から抽出する住宅仕様情報抽出処理手段と、この住宅仕様情報抽出処理手段により抽出された前記顧客の前記住宅仕様情報を、前記施工事例の前記識別情報と関連付けて前記住宅施工事例情報記憶手段に記憶する処理を実行する既登録住宅仕様情報参照登録処理手段を備えるようにしてもよい。
【００３９】
これによると、住宅仕様情報記憶手段に記憶されている顧客別の住宅仕様情報のうち、端末装置で入力されてこの端末装置からネットワークを介して送信されてくる顧客の前記識別情報を有する前記住宅仕様情報を、住宅施工事例情報記憶手段に記憶することができる。すなわち、登録済（既存）の顧客の住宅仕様情報を、メーカー仕様住宅施工事例情報選択画面や販売店仕様住宅施工事例情報選択画面で選択させる施工事例情報として利用（有効活用）することができる。
【００４０】
なお、既登録住宅仕様情報参照登録処理手段が、住宅仕様情報抽出処理手段により抽出された顧客の住宅仕様情報を、施工事例の識別情報と関連付けて住宅施工事例情報記憶手段に記憶する処理を実行するとき、前記施工事例の前記識別情報は、既登録住宅仕様情報参照登録処理手段により採番されるもの（自動採番）でもよく、メーカー仕様住宅施工事例情報選択画面や販売店仕様住宅施工事例情報選択画面において、担当者が手動で採番するもの（手動採番）でもよい。
【００４１】
なお、住宅仕様情報記憶手段に記憶されている顧客の住宅仕様情報を、住宅施工事例情報記憶手段に記憶する場合、顧客の住宅仕様情報は、メーカー仕様の住宅施工事例情報として住宅施工事例情報記憶手段に記憶するようにしてもよく、販売店仕様の住宅施工事例情報として住宅施工事例情報記憶手段に記憶するようにしてもよい。
【００４２】
以上の本発明において、前記住宅仕様情報記憶手段に記憶されている前記顧客別の前記住宅仕様情報には、少なくとも、前記住宅の構成部材の属性情報と、前記構成部材の画像情報と、前記構成部材の識別情報と、前記構成部材が属するカテゴリの識別情報と、が含まれるものとし、前記サーバは、前記住宅仕様情報記憶手段に記憶されている前記顧客別の前記住宅仕様情報のうち、少なくとも仕様が確定した前記住宅の前記構成部材の前記属性情報及び前記画像情報に基づき、パーソナルコンピュータのアプリケーションソフトウェアで読み込み可能なファイル形式の帳票データファイルを作成する処理を実行する帳票データファイル作成処理手段と、この帳票データファイル作成処理手段により作成された前記帳票データファイルを前記端末装置に送信（ダウンロード）する処理を実行する帳票データファイル送信処理手段を備えるようにしてもよい。
【００４３】
これによると、前記帳票データファイル作成処理手段により作成され、前記帳票データファイル送信処理手段により端末装置へ送信された帳票データファイルを、顧客と担当者が、前記アプリケーションソフトウェアがインストールされているパーソナルコンピュータ（帳票データファイルがダウンロードされた端末装置でもよく、別の端末装置でもよい）の出力手段であるディスプレイで見たり、パーソナルコンピュータに接続された出力手段であるプリンタに印刷することができるようになる。また、これにより、帳票データファイル作成処理手段により作成され、帳票データファイル送信処理手段により端末装置へ送信された帳票データファイルを、記憶媒体（例えば、フラッシュメモリ、ＣＤ−Ｒ、ＤＶＤ−Ｒ等）やポータブル型ハードディスク等に記憶（保存）することができる。このため、顧客は、帳票データファイルが記憶された記憶媒体等を家に持ち帰ることができ、仕様が確定した前記住宅の前記構成部材の前記属性情報及び前記画像情報を、自宅のパソコンのディスプレイで見たり、自宅のパソコンに接続されたプリンタに印刷することができるようになる。これにより、顧客は、現状の住宅仕様情報を十分に把握、記憶することができ、担当者と再度打合せを行う場合には、この打合せをスムーズに行うことができる。
【００４４】
ここで、パーソナルコンピュータのアプリケーションソフトウェアとは、任意なものでよく、例えば、表を作成するための表計算ソフトウェア（データの表示・印刷のみが可能なビューワーソフトウェアを含む）でもよく、文書を作成するためのワープロソフトウェア（データの表示・印刷のみが可能なビューワーソフトウェアを含む）でもよく、プレゼンテーションの資料を作成するためのプレゼンテーションソフトウェアでもよく、画像を作成するためのドローソフトウェアやペイントソフトウェアでもよく、写真を編集するためのフォトレタッチソフトウェア等でもよい。
【００４５】
なお、帳票データファイル作成処理手段により作成される帳票データファイルの帳票レイアウトは任意なものでよい。
【００４６】
なお、帳票データファイル作成処理手段により作成される帳票データファイルのファイル形式を、表計算ソフトウェアやワープロソフトウェアで読み込み可能なものとする場合には、住宅の構成部材の属性情報は、画像情報（例えば、部材やこれに付属する部品の全体画像や拡大画像等）とは、別のデータ形式（好ましくはテキスト形式）とすることが好ましい。これにより、表計算ソフトウェアやワープロソフトウェアで、画像情報のみを拡大表示させることが可能となる。
【００４７】
なお、帳票データファイル作成処理手段により作成される帳票データファイルの画像情報の解像度を選択させる（例えば、低解像度、中解像度、高解像度の３種類のうちの１種類を選択させる）ための帳票データファイル画像情報解像度選択処理手段をサーバに備えるようにしてもよい。これにより、端末装置でダウンロードする帳票データファイルのファイルサイズを調整することができる。また、高解像度の画像情報を選択することにより、構成部材の画像情報をより鮮明な状態で見たり、印刷することができる。
【００４８】
本発明において、ネットワークとは、有線ネットワークでもよく、無線ネットワークでもよく、また、これらを併用したものでもよい。
【００４９】
また、本発明において、端末装置は任意なものでよく、この端末装置は、例えば、市販されているデスクトップ型パソコンでもよく、ノート型パソコンでもよく、高解像度の液晶画面を有するＰＤＡでもよく、端末機能しか有さない端末専用装置（移動可能のものでもよく、移動不可能のものでもよい）でもよく、あるいは、これらを併用するものでもよい。端末装置が携帯可能なノートパソコンやＰＤＡ等となっている場合には、本発明に係る住宅仕様確定支援システムの主たる利用者である住宅販売店の担当者は、端末装置を持って顧客の居る場所へ訪問し、その場で顧客と端末装置を使用しながら住宅仕様の打合せを行うことができるようになる。
【００５０】
なお、本発明において、顧客別の住宅仕様情報は、前述したように、住宅施工事例情報記憶手段に記憶されているメーカー仕様住宅施工事例情報や販売店住宅施工事例情報を参照し、この参照した住宅施工事例情報を住宅施工事例情報参照登録処理手段により住宅仕様情報記憶手段に記憶するものでもよく、このように住宅施工事例情報を参照せずに顧客別の住宅仕様情報を一（最初）から入力するものでもよく、これらを併用するものでもよい。顧客別の住宅仕様情報を一から入力するものである場合には、サーバに、顧客別の住宅仕様情報を選択入力させるための住宅仕様情報選択入力画面の表示用データを端末装置へ送信するとともに、住宅仕様情報選択入力画面で選択入力されて端末装置からネットワークを介して送信されてくる顧客別の前記住宅仕様情報を受信する処理を実行する住宅仕様情報選択入力受付処理手段と、この住宅仕様情報選択入力受付処理手段により受け付けた顧客別の前記住宅仕様情報を前記顧客の前記識別情報と関連付けて前記住宅仕様情報記憶手段に記憶させる処理を実行する住宅仕様情報登録処理手段、を備えることが好ましい。
【００５１】
これによると、顧客別の住宅仕様情報を選択入力させるための住宅仕様情報選択入力画面の表示用データが、サーバから、このサーバとネットワークを介して接続された端末装置に送信され、この端末装置では、受信した住宅仕様情報選択入力画面の表示用データに基づいて住宅仕様情報の選択入力が行われる。そして、端末装置に表示された住宅仕様情報選択入力画面で選択入力された顧客別の住宅仕様情報がサーバに送信され、このサーバで受信された前記顧客別の前記住宅仕様情報は、住宅仕様情報登録処理手段により住宅仕様情報記憶手段に記憶される。
【００５２】
なお、住宅仕様情報記憶手段に記憶されている顧客別の住宅仕様情報が住宅施工事例情報を参照登録したものとなっている場合には、この顧客別の住宅仕様情報の追加、修正、削除は、住宅仕様情報選択入力画面で行えるようにしてもよい。
【００５３】
なお、住宅仕様情報選択入力画面は、住宅仕様を確定するための情報を選択入力するための画面であれば任意であり、この住宅仕様情報選択入力画面は、１画面で構成されるものでもよく、複数の画面から構成されるものでもよい。
【００５４】
この住宅仕様情報選択入力画面の構成例として、住宅の構成部材の一覧を表示するとともにこの一覧から仕様を確定する前記構成部材を選択させるための構成部材表示・選択画面と、この構成部材表示・選択画面で選択された前記構成部材に対して選択可能な部品の一覧を表示するとともにこの一覧から前記部品を選択させるための部品表示・選択画面と、この部品表示・選択画面で選択された前記部品の属性情報を選択入力させるための部品属性情報選択入力画面と、を含んで構成されるものを挙げることができる。
【００５５】
住宅仕様情報選択入力画面を上述した画面構成例とした場合には、前記サーバは、前記構成部材に対して選択可能な前記部品情報を前記構成部材の前記識別情報及び前記部品の識別情報と関連付けて記憶する部品情報記憶手段と、前記部品表示・選択画面で選択される前記部品の属性情報を前記部品の識別情報と関連付けて記憶する部品属性情報記憶手段と、を備えることが好ましい。
【００５６】
また、住宅仕様情報選択入力画面を上述した画面構成例とした場合には、前記住宅仕様情報選択入力受付処理手段は、前記構成部材表示・選択画面の表示用データを前記端末装置へ送信するとともに、前記構成部材表示・選択画面で選択されて前記端末装置から前記ネットワークを介して送信されてくる前記構成部材の前記識別情報を受信する処理を実行する構成部材選択受付処理手段と、この構成部材選択受付処理手段により受け付けた前記構成部材に対して選択可能な前記部品を、受信された前記構成部材の前記識別情報をキーとして、前記部品情報記憶手段から抽出する処理を実行する部品抽出処理手段と、この部品抽出処理手段により抽出された前記部品を表示・選択させるための前記部品表示・選択画面の表示用データを前記端末装置に送信するとともに、前記部品表示・選択画面で選択されて前記端末装置から前記ネットワークを介して送信されてくる前記部品の識別情報を受信する処理を実行する部品選択受付処理手段と、この部品選択受付処理手段により受け付けた前記部品に対して選択入力可能な属性情報を、受信された前記部品の前記識別情報をキーとして、前記部品属性情報記憶手段から抽出する処理を実行する部品属性情報抽出処理手段と、この部品属性情報抽出処理手段により抽出された前記部品の属性情報を選択入力させるための前記部品属性情報選択入力画面の表示用データを前記端末装置に送信するとともに、前記部品属性情報選択入力画面で選択入力されて前記端末装置から前記ネットワークを介して送信されてくる前記部品の属性情報を受信する処理を実行する部品属性情報選択入力受付処理手段と、を備えることが好ましい。
【００５７】
なお、住宅仕様情報選択入力画面を上述した画面構成例とした場合には、前記住宅仕様情報登録処理手段は、前記部品属性情報選択入力受付処理手段により受け付けた前記部品の前記属性情報を、前記顧客の前記識別情報及び前記部品の前記識別情報と関連付けて前記住宅仕様情報記憶手段に記憶する処理を実行する構成とすることが好ましい。
【００５８】
ここで、サーバの部品情報記憶手段は、前記構成部材に対して選択可能な前記部品情報（例えば、部品名、メーカー名、単価等）を、前記構成部材の前記識別情報及び前記部品の識別情報と関連付けて記憶するものである。また、サーバの部品属性情報記憶手段は、部品表示・選択画面で選択される部品の属性情報（例えば、寸法（幅、高さ、奥行）、材質等）等を、前記部品の識別情報と関連付けて記憶するものである。
【００５９】
また、住宅仕様情報選択入力画面を上述した画面構成例とした場合には、まず、端末装置には、サーバから送信された構成部材表示・選択画面の表示用データが表示され、この端末装置で表示される構成部材表示・選択画面で選択された構成部材の識別情報が、端末装置からネットワークを介してサーバに送信される。そして、この送信された構成部材の識別情報を受信する処理が構成部材選択受付処理手段により実行される。
【００６０】
次に、構成部材選択受付処理手段により受け付けた構成部材に対して選択可能な部品が、受信された構成部材の識別情報をキーとして、部品情報記憶手段から抽出する処理が部品抽出処理手段により実行される。
【００６１】
この後、端末装置には、部品抽出処理手段により抽出された部品を表示・選択させるためのサーバから送信された部品表示・選択画面の表示用データが表示され、この端末装置で表示される部品表示・選択画面で選択された部品の識別情報が、端末装置からネットワークを介してサーバに送信される。そして、この送信された部品の識別情報を受信する処理が部品選択受付処理手段により実行される。
【００６２】
次に、部品選択受付処理手段により受け付けた部品に対して選択入力可能な属性情報を、受信された部品の識別情報をキーとして、部品属性情報記憶手段から抽出する処理が部品属性情報抽出処理手段により実行される。
【００６３】
この後、端末装置には、部品属性情報抽出処理手段により抽出された部品の属性情報を選択入力させるためのサーバから送信された部品属性情報選択入力画面の表示用データが表示され、この前記端末装置で表示されている部品属性情報選択入力画面で選択入力された部品の属性情報を受信する処理が部品属性情報選択入力受付処理手段により実行される。
【００６４】
そして、部品属性情報選択入力受付処理手段により受け付けた部品の属性情報を、顧客の識別情報と関連付けて住宅仕様情報記憶手段に記憶する処理が住宅仕様情報登録処理手段により実行される。
【００６５】
住宅仕様情報選択入力画面を前述した画面構成例とした場合において、住宅仕様情報選択入力画面は、構成部材のカテゴリの一覧を表示するとともにこの一覧から仕様を確定する前記構成部材が属する前記カテゴリを選択させるためのカテゴリ表示・選択画面を備えるようにしてもよい。
【００６６】
このカテゴリ表示・選択画面を備えるようにした場合には、前記サーバは、前記カテゴリ表示・選択画面に表示する前記カテゴリ情報を、このカテゴリの識別情報及び前記カテゴリに属する前記構成部材の識別情報と関連付けて記憶する構成部材情報記憶手段と、前記カテゴリ表示・選択画面の表示用データを前記端末装置へ送信するとともに、前記カテゴリ表示・選択画面で選択されて前記端末装置から前記ネットワークを介して送信されてくる前記カテゴリの前記識別情報を受信する処理を実行するカテゴリ選択受付処理手段と、このカテゴリ選択受付処理手段により受け付けた前記カテゴリに属する前記構成部材を、前記カテゴリの前記識別情報をキーとして、前記構成部材情報記憶手段から抽出する処理を実行する構成部材抽出処理手段を備えることが好ましい。
【００６７】
ここで、サーバの構成部材情報記憶手段は、前記カテゴリ表示・選択画面に表示する前記カテゴリ情報を、このカテゴリの識別情報及び前記カテゴリに属する前記構成部材の識別情報と関連付けて記憶するものである。
【００６８】
また、カテゴリ表示・選択画面を備えるようにした場合には、まず、端末装置には、サーバから送信されたカテゴリ表示・選択画面の表示用データが表示され、この端末装置で表示されるカテゴリ表示・選択画面で選択されたカテゴリの識別情報が、端末装置からネットワークを介してサーバに送信される。そして、この送信されたカテゴリの識別情報を受信する処理がカテゴリ選択受付処理手段により実行される。
【００６９】
次に、カテゴリ選択受付処理手段により受け付けた前記カテゴリに属する前記構成部材を、前記カテゴリの前記識別情報をキーとして、前記構成部材情報記憶手段から抽出する処理が構成部材抽出処理手段により実行される。
【００７０】
これにより、前記構成部材表示・選択画面には、前記構成部材抽出処理手段により抽出された前記構成部材の一覧が表示される。
【００７１】
また、サーバは、前記部品属性情報選択入力画面において前記属性情報の選択入力が確定した前記部品の一覧を表示する確定部品一覧表示画面の表示用データを前記端末装置へ送信する処理を実行する確定部品一覧表示画面表示用データ送信処理手段を備えるようにしてもよい。これによると、属性情報の選択入力が確定した部品を一目で把握することができるようになる。
【発明の効果】
【００７２】
本発明によると、住宅仕様の確定をより迅速に行えるようになるという効果を得られる。
【図面の簡単な説明】
【００７３】
【図１】図１は、本発明の一実施形態に係る住宅仕様確定支援システムのシステム構成図である。
【図２】図２は、カテゴリ表示・選択画面を示す図である。
【図３】図３は、図２に示すカテゴリ表示・選択画面の部分拡大図である。
【図４】図４は、構成部材表示・選択画面の拡大図である。
【図５】図５は、構成部材表示・選択画面及び部品表示・選択画面の全体図である。
【図６】図６は、部品表示・選択画面の拡大図である。
【図７】図７は、部品属性情報選択入力画面を示す図である。
【図８】図８は、図４に示す構成部材表示・選択画面において、部品の属性情報の選択入力が確定した状態の構成部材が示されている図である。
【図９】図９は、登録済の顧客の住宅仕様情報を住宅施工事例情報として登録させる機能を有する確定部品一覧表示画面を示す図である。
【図１０】図１０は、住宅施工事例情報のメンテナンスを行うための住宅施工事例情報管理画面を示す図である。
【図１１】図１１は、図１０に示す住宅施工事例情報管理画面において、「参照」ボタンがクリックされたときに表示される確定部品一覧表示画面を示す図である。
【図１２】図１２は、住宅施工事例情報選択画面の一実施形態を示す図である。
【図１３】図１３は、図９に示す確定部品一覧表示画面において、「帳票出力」ボタンがクリックされたときに表示される帳票出力メニューダイアログボックスを示す図である。
【図１４】図１４は、図１３に示す帳票出力メニューダイアログボックスにおいて、「フィニッシュシート」が選択さたときに表示される出力確認ダイアログボックスを示す図である。
【図１５】図１５は、図１３に示す帳票出力メニューダイアログボックスにおいて「フィニッシュシート」を選択した場合に作成される「水廻り設備シート」の出力例を示す図である。
【図１６】図１６は、図１５に示す「水廻り設備シート」の部分拡大図である。
【図１７】図１７は、図１３に示す帳票出力メニューダイアログボックスにおいて「フィニッシュシート」を選択した場合に作成される「内装仕様シート」の出力例を示す図である。
【図１８】図１８は、図１２に示す住宅施工事例情報選択画面の別実施形態を示す図である。
【図１９】図１９は、図１８に示す住宅施工事例情報選択画面において、「一部」ボタンがクリックされたときに表示される住宅施工事例情報カテゴリ表示・選択画面を示す図である。
【図２０】図２０は、図２に示すカテゴリ表示・選択画面の別実施形態の部分拡大図と、カテゴリ表示欄又は付箋の表示／非表示設定を選択させるための処理メニューを示す図である。
【図２１】図２１は、図２０に示す処理メニューのうちのカテゴリの表示／非表示設定が選択されたときに表示されるサブメニューを示す図である。
【図２２】図２２は、図２０に示す処理メニューのうちの付箋の表示／非表示設定が選択されたときに表示されるサブメニューを示す図である。
【発明を実施するための形態】
【００７４】
以下に本発明を実施するための形態を図面に基づいて説明する。図１は、本発明の一実施形態に係る住宅仕様確定支援システムのシステム構成図である。この図１に示すように、本実施形態に係る住宅仕様確定支援システムは、住宅仕様の確定に必要なデータを管理するサーバ１と、このサーバ１にネットワーク２を介して接続された端末装置３と、を含んで構成されている。
【００７５】
サーバ１には、住宅仕様の確定に必要なデータベースを構成するトランザクションデータやマスタデータが備えられている。トランザクションデータは、顧客情報テーブル１０と、住宅仕様情報テーブル１１と、進捗状況情報テーブル１２と、住宅施工事例情報テーブル１７と、を含んで構成され、マスタデータは、カテゴリ情報マスタ１３と、部材情報マスタ１４と、部品情報マスタ１５と、部品属性情報マスタ１６と、を含んで構成されている。
【００７６】
顧客情報テーブル１０は、顧客の基本情報を記憶するためのテーブルであり、この顧客情報テーブルのデータ項目には、顧客ＩＤ、氏名、建設地、契約日、着工予定日、引渡し予定日、部材発注予定日、部材入荷予定日等があり、顧客ＩＤが顧客の識別情報となっている。
【００７７】
住宅仕様情報テーブル１１は、顧客別の住宅の仕様情報を記憶するためのテーブルであり、この住宅仕様情報テーブル１１のデータ項目には、顧客ＩＤ、カテゴリＩＤ、部材ＩＤ、部品ＩＤ、確定品番（確定した部品の品番）、確定品名（確定した部品の部品名称）、確定単価（確定した部品の単価）、確定数量（確定した部品の発注数量）、属性種別（例えば、部品の幅、高さ、奥行き、材質等）、属性値（確定した部品の属性種別に対する値）、属性画像（確定した部品の属性種別に対する画像）、メーカーＩＤ、メーカー名称、メーカー区分、仕上区分、仕上場所区分、確定保留区分等がある。なお、カテゴリＩＤは住宅の構成部材のカテゴリの識別情報であり、部材ＩＤは構成部材の識別情報であり、部品ＩＤは構成部材の部品の識別情報である。このため、住宅仕様情報テーブル１１は、顧客の住宅を構成する構成部材の部品の仕様情報（属性情報）を記憶するためのテーブルとなっている。
【００７８】
なお、「メーカー区分」とは、住宅仕様情報テーブル１１に登録されている確定部品が自社製であるか或いは他社製であるかを判定するための区分であり、本実施形態では、「メーカー区分」には、１（本社メーカー（自社製））、２（資材メーカー（他社製））等がある。また、「仕上区分」とは、住宅仕様情報テーブル１１に登録されている確定部品が、内装仕上のカテゴリに属するものであるか否かを判定するための区分であり、本実施形態では、「仕上区分」には、０（仕上カテゴリ以外）、１（床仕上）、２（壁・天井仕上）等がある。さらに、「仕上場所区分」とは、住宅仕様情報テーブル１１に登録されている確定部品の仕上区分＝２（壁・天井仕上）である場合に、仕上場所が壁であるか或いは天井であるかを判定するための区分であり、本実施形態では、「仕上場所区分」には、０（仕上カテゴリ以外）、１（壁）、２（天井）等がある。また、「確定保留区分」とは、住宅仕様情報テーブル１１に登録されている仕様情報が、確定されたものであるか或いは確定が保留されているものであるかどうかを判定するための区分であり、本実施形態では、「確定保留区分」には、１（確定）、２（保留）等がある。
【００７９】
進捗状況情報テーブルは、顧客別の住宅の仕様情報の確定の進捗状況情報を記憶するためのテーブルであり、この進捗状況情報テーブル１２のデータ項目には、顧客ＩＤ、カテゴリＩＤ、進捗状況区分、完了日時等がある。すなわち、進捗状況情報テーブル１２は、顧客別カテゴリ別の構成部材の部品の仕様情報（属性情報）の確定の進捗状況情報を記憶するためのテーブルとなっている。言い換えると、進捗状況情報テーブル１２は、顧客別の住宅の構成部材の部品の仕様情報（属性情報）の打合せの進捗状況情報を、構成部材が属するカテゴリ単位でまとめたものを記憶するためのテーブルとなっている。なお、本実施形態では、「進捗状況区分」には、０（打合せ未着手）、１（打合せ中）、２（打合せ済（顧客側））、３（打合せ済（担当者側））等がある。ここで、「進捗状況区分」の値である３（打合せ済（担当者側））は、カテゴリに属する全部の部材について、顧客側及び担当者側で確定すべき仕様情報が確定していることを意味する。これに対して、２（打合せ済（顧客側））は、カテゴリに属する全部の部材について、顧客側で確定すべき仕様情報は確定しているが、カテゴリに属する部材の中で、担当者側で確定すべき仕様情報がまだ確定していない部材が存在することを意味するものである。
【００８０】
本実施形態では、顧客情報テーブル１０と、住宅仕様情報テーブル１１と、進捗状況情報テーブル１２とで、顧客別の住宅仕様情報を顧客の識別情報（顧客ＩＤ）と関連付けて記憶する住宅仕様情報記憶手段を構成するものとなっている。
【００８１】
住宅施工事例情報テーブル１７は、住宅の施工事例情報、すなわち、住宅メーカーにより予め選定されたメーカー仕様の住宅仕様情報で構成されるメーカー仕様住宅施工事例情報や、住宅販売店により予め選定された販売店仕様の住宅仕様情報で構成される販売店仕様住宅施工事例情報等を記憶するためのテーブルであり、この住宅仕様情報テーブル１１は、住宅施工事例情報ヘッダーテーブルと住宅施工事例情報明細テーブルとで構成されている。
【００８２】
住宅施工事例情報ヘッダーテーブルのデータ項目には、施工事例ＩＤ、販売エリアＩＤ、施工事例名称、施工事例の画像情報である施工事例画像、施工事例の説明を記載した施工事例説明文、施工事例に関する情報のリンク情報（施工事例に関する資料が閲覧可能なウェブサイトのＵＲＬ）、この施工事例の公開／非公開区分（０（非公開）、１（公開））等があり、施工事例ＩＤが施工事例の識別情報となっている。なお、販売エリアＩＤは、施工事例となっている住宅の販売エリアの識別情報であり、販売エリアＩＤ≠ＮＵＬＬ（０としてもよい）のレコードが、販売店仕様の施工事例情報レコードとなっており、販売エリアＩＤ＝ＮＵＬＬ（０としてもよい）のレコードが、メーカー仕様の施工事例情報レコードとなっている。
【００８３】
住宅施工事例情報ヘッダーテーブルに従属する住宅施工事例情報明細テーブルは、住宅仕様情報テーブル１１と略同じレイアウトを有しており、施工事例となっている住宅の仕様情報を記憶するためのテーブルである。この住宅施工事例情報明細テーブルのデータ項目には、施工事例の識別情報である施工事例ＩＤ（住宅施工事例情報ヘッダーテーブルの施工事例ＩＤと同じ）、販売エリアＩＤ（住宅施工事例情報ヘッダーテーブルの販売エリアＩＤと同じ）、カテゴリＩＤ、部材ＩＤ、部品ＩＤ、確定品番（確定した部品の品番）、確定品名（確定した部品の部品名称）、確定単価（確定した部品の単価）、確定数量（確定した部品の発注数量）、属性種別（例えば、部品の幅、高さ、奥行き、材質等）、属性値（確定した部品の属性種別に対する値）、属性画像（確定した部品の属性種別に対する画像）、メーカーＩＤ、メーカー名称、メーカー区分、仕上区分、仕上場所区分、確定保留区分等がある。なお、前述したように、カテゴリＩＤは住宅の構成部材のカテゴリの識別情報であり、部材ＩＤは構成部材の識別情報であり、部品ＩＤは構成部材の部品の識別情報である。このため、住宅施工事例情報明細テーブルは、施工事例となっている住宅を構成する構成部材の部品の仕様情報（属性情報）を記憶するためのテーブルとなっている。
【００８４】
なお、住宅施工事例情報明細テーブルには、住宅施工事例情報ヘッダーテーブルの施工事例ＩＤと同じ施工事例ＩＤを有するレコードが複数存在する。すなわち、住宅施工事例情報ヘッダーテーブルのレコード件数と、住宅施工事例情報明細テーブルのレコード件数とは１対多の関係にある。
【００８５】
カテゴリ情報マスタ１３は、住宅の構成部材のカテゴリ情報を記憶するためのマスタであり、このカテゴリ情報マスタ１３のデータ項目には、上位カテゴリＩＤ、カテゴリＩＤ、カテゴリ名称、表示設定区分、必須・任意設定区分等があり、カテゴリＩＤがカテゴリの識別情報となっている。ここで、「上位カテゴリＩＤ」とは、「カテゴリＩＤ」よりも上位のカテゴリＩＤをいう。また、「表示設定区分」とは、後述する住宅仕様情報選択入力画面を構成する画面において、このカテゴリ情報マスタ１３のカテゴリ名称等の情報を顧客に見せるかどうかを設定するための区分であり、本実施形態では、「表示設定区分」には、０（顧客に見せる）、１（担当者にのみ見せる）等がある（以下同じ）。このため、本実施形態では、「表示設定区分」に１が設定されているカテゴリＩＤに対しては、後述する住宅仕様情報選択入力画面を構成する各画面の顧客モード画面において、カテゴリ名称等の情報は非表示となる。
【００８６】
部材情報マスタ１４は、住宅の構成部材情報を記憶するためのマスタであり、この部材情報マスタ１４のデータ項目には、カテゴリＩＤ、部材ＩＤ、部材名称、表示設定区分、必須・任意設定区分、複数選択区分等があり、部材ＩＤが構成部材の識別情報となっている。なお、「カテゴリＩＤ」には、構成部材が属するカテゴリの識別情報が格納される。ここで、「表示設定区分」とは、カテゴリ情報マスタ１３の「表示設定区分」と同様に、後述する住宅仕様情報選択入力画面を構成する画面において、この部材情報マスタ１４の部材名称等の情報を顧客に見せるかどうかを設定するための区分である。また、「必須・任意設定区分」とは、部材に対して部品の選択入力が必須であるかどうかを設定するための区分であり、本実施形態では、「必須・任意設定区分」には、０（任意）、１（必須）がある。また、「複数選択区分」とは、部材に対して複数の部品を選択入力可能かどうか設定するための区分であり、本実施形態では、「複数選択区分」には、０（複数選択不可）、１（複数選択可）がある。
【００８７】
部品情報マスタ１５は、住宅の構成部材の部品情報を記憶するためのマスタであり、この部品情報マスタ１５のデータ項目には、部材ＩＤ、部品ＩＤ、部品名称、部品画像、部品単価、表示設定区分、メーカーＩＤ、等があり、部品ＩＤが部品の識別情報となっている。なお、「表示設定区分」とは、カテゴリ情報マスタ１３の「表示設定区分」と同様に、後述する住宅仕様情報選択入力画面を構成する画面において、この部品情報マスタ１５の部品名称等の情報を顧客に見せるかどうかを設定するための区分である。
【００８８】
部品属性情報マスタ１６は、部品に対して設定可能な属性情報を記憶するためのマスタであり、この部品属性情報マスタ１６のデータ項目には、部品ＩＤ、部品属性種別、部品属性値、表示設定区分等がある。なお、「表示設定区分」とは、カテゴリ情報マスタ１３の「表示設定区分」と同様に、後述する住宅仕様情報選択入力画面を構成する画面において、この部品属性情報マスタ１６の部品属性種別等の情報を顧客に見せるかどうかを設定するための区分である。
【００８９】
本実施形態では、部材情報マスタ１４は、後述するカテゴリ表示・選択画面４０（図２参照）に表示する各カテゴリに属する構成部材情報を、カテゴリの識別情報（カテゴリＩＤ）及びカテゴリに属する構成部材の識別情報（部材ＩＤ）と関連付けて記憶する構成部材情報記憶手段となっている。
【００９０】
また、本実施形態では、部品情報マスタ１５は、構成部材に対して選択可能な部品情報を構成部材の識別情報（部材ＩＤ）及び部品の識別情報（部品ＩＤ）と関連付けて記憶する部品情報記憶手段となっている。
【００９１】
また、本実施形態では、部品属性情報マスタ１６は、後述する部品表示・選択画面８０（図６参照）で選択される部品の属性情報を部品の識別情報（部品ＩＤ）と関連付けて記憶する部品属性情報記憶手段となっている。
【００９２】
なお、本実施形態では、部品情報マスタ１５、部品属性情報マスタ１６の各情報は、本システムの担当者により入力されるのではなく、部品メーカー各社が保有するマスタ情報を取り込むことにより得られるものである。すなわち、部品メーカー各社のシステムのマスタ情報をＣＳＶ形式のテキストファイルで受け取り、このＣＳＶファイルを本システムで取り込めるようにレイアウト変換を実行した後、このレイアウト変換後のＣＳＶファイルを本システムの部品情報マスタ１５、部品属性情報マスタ１６に取り込む処理が実行される。
【００９３】
端末装置３は、キーボード、マウス等の入力手段と、ディスプレイ等の出力手段を備えており、端末装置３は、サーバ１から送信されてくる顧客別の住宅仕様情報を選択入力させるための住宅仕様情報選択入力画面、住宅施工事例情報をメンテナンス（登録、修正、削除）するための住宅施工事例情報管理画面、住宅施工事例情報を選択するため住宅施工事例情報選択画面、その他の画面の表示用データを受信し、これらの画面の表示用データは、端末装置３に備えられているＷｅｂブラウザ等のソフトウェアを介して出力手段に出力されるものとなっている。
【００９４】
住宅仕様情報選択入力画面は、住宅の構成部材の一覧を表示するとともにこの一覧から仕様を確定する構成部材を選択させるための後述する構成部材表示・選択画面６０（図４参照）と、この構成部材表示・選択画面６０で選択された構成部材に対して選択可能な部品の一覧を表示するとともにこの一覧から部品を選択させるための後述する部品表示・選択画面８０と、この部品表示・選択画面８０で選択される部品の属性情報を選択入力させるための後述する部品属性情報選択入力画面１１０（図７参照）と、を含んで構成されており、これらの画面には、住宅仕様の打合せを行う担当者側で確定すべき仕様情報を含む住宅仕様情報の選択入力が可能な担当者モード画面と、担当者側で確定すべき仕様情報を含まない住宅仕様情報の選択入力が可能な顧客モード画面と、がある。
【００９５】
また、住宅仕様情報選択入力画面には、構成部材のカテゴリの一覧を表示するとともにこの一覧から仕様を確定する構成部材が属するカテゴリを選択させるための後述するカテゴリ表示・選択画面４０があり、このカテゴリ表示・選択画面４０には、住宅仕様の打合せを行う担当者が選択可能なカテゴリを含むカテゴリの選択が可能な担当者モード画面と、担当者が選択可能なカテゴリを含まないカテゴリの選択が可能な顧客モード画面と、がある。
【００９６】
上述した住宅仕様情報選択入力画面、住宅施工事例情報管理画面、住宅施工事例情報選択画面、その他の画面の表示用データは、サーバ１の処理手段２０により生成されるものである。
【００９７】
なお、住宅仕様情報選択入力画面を構成する上述した各画面、住宅施工事例情報管理画面、住宅施工事例情報選択画面の詳細な説明は後述する。
【００９８】
図１に示すように、サーバ１は、住宅仕様の確定に必要な処理を実行する処理手段２０を備えており、この処理手段２０は、住宅仕様情報選択入力受付処理手段２１と、住宅仕様情報登録処理手段３２と、確定部品一覧表示画面表示用データ送信処理手段３３と、住宅仕様情報抽出処理手段３４と、住宅施工事例情報選択受付処理手段３５と、住宅施工事例情報選択画面切換処理手段３６と、住宅施工事例情報参照登録処理手段３７と、既登録住宅仕様情報参照登録処理手段３８と、帳票データファイル作成処理手段５０と、帳票データファイル送信処理手段５１と、住宅施工事例情報カテゴリ選択受付処理手段５２と、を含んで構成されている。
【００９９】
住宅仕様情報選択入力受付処理手段２１は、さらに、カテゴリ選択受付処理手段２２と、構成部材抽出処理手段２３と、構成部材選択受付処理手段２４と、部品抽出処理手段２５と、部品選択受付処理手段２６と、部品属性情報抽出処理手段２７と、部品属性情報選択入力受付処理手段２８と、モード画面切換処理手段２９と、カテゴリ色分け表示処理手段３０と、部品属性情報未確定表示処理手段３１と、を含んで構成されるものとなっている。
【０１００】
なお、サーバ１の処理手段２０は、サーバ１の記憶装置に記憶されたソフトウェアで構成されるものである。
【０１０１】
住宅仕様情報選択入力受付処理手段２１は、顧客別の住宅仕様情報を選択入力させるための住宅仕様情報選択入力画面の表示用データを端末装置３へ送信するとともに、住宅仕様情報選択入力画面で選択入力されて端末装置３からネットワーク２を介して送信されてくる顧客別の住宅仕様情報を受信する処理を実行する構成となっている。
【０１０２】
住宅仕様情報登録処理手段３２は、後述する部品属性情報選択入力受付処理手段２８により受け付けた部品の属性情報を、顧客の識別情報（顧客ＩＤ）及び部品の識別情報（部品ＩＤ）と関連付けて住宅仕様情報記憶手段を構成する住宅仕様情報テーブル１１に記憶する処理を実行する構成とされている。すなわち、住宅仕様情報登録処理手段３２は、確定した部品の属性情報を、顧客の識別情報及び部品の識別情報と関連付けて住宅仕様情報テーブル１１に記憶する処理を実行する構成とされている。なお、住宅仕様情報登録処理手段３２により、部品が属する構成部材の識別情報（部材ＩＤ）や構成部材が属するカテゴリの識別情報（カテゴリＩＤ）も、住宅仕様情報テーブル１１に記憶される。
【０１０３】
確定部品一覧表示画面表示用データ送信処理手段３３は、部品属性情報選択入力画面１１０において属性情報の選択入力が確定した部品の一覧を表示し、担当者モード画面と顧客モード画面とがある確定部品一覧表示画面１３０の表示用データを端末装置３へ送信する処理を実行する構成となっている。なお、端末装置３では、確定部品一覧表示画面表示用データ送信処理手段３３により送信された確定部品一覧表示画面１３０の表示用データを受信し、この受信した確定部品一覧表示画面１３０の表示用データが、端末装置３の出力手段に出力される。
【０１０４】
カテゴリ選択受付処理手段２２は、カテゴリ表示・選択画面４０の表示用データを端末装置３へ送信するとともに、カテゴリ表示・選択画面４０で選択されて端末装置３から前記ネットワーク２を介して送信されてくるカテゴリの識別情報を受信する処理を実行する構成となっている。なお、カテゴリ表示・選択画面４０の表示用データは、処理手段２０が、カテゴリ情報マスタ１３の全レコードを抽出して作成する。
【０１０５】
構成部材抽出処理手段２３は、カテゴリ選択受付処理手段２２により受け付けたカテゴリに属する構成部材を、カテゴリの識別情報（カテゴリＩＤ）をキーとして、構成部材情報記憶手段である部材情報マスタ１４から抽出する処理を実行する構成となっている。すなわち、構成部材抽出処理手段２３は、部材情報マスタ１４のレコードのうち、カテゴリＩＤがカテゴリ選択受付処理手段２２により受け付けたカテゴリＩＤと一致するレコードを抽出する処理を実行する。
【０１０６】
構成部材選択受付処理手段２４は、構成部材表示・選択画面６０の表示用データを端末装置３へ送信するとともに、構成部材表示・選択画面６０で選択されて端末装置３からネットワーク２を介して送信されてくる構成部材の識別情報（部材ＩＤ）を受信する処理を実行する構成となっている。
【０１０７】
部品抽出処理手段２５は、構成部材選択受付処理手段２４により受け付けた構成部材に対して選択可能な部品を、受信された構成部材の識別情報（部材ＩＤ）をキーとして、部品情報記憶手段である部品情報マスタ１５から抽出する処理を実行する構成となっている。すなわち、部品抽出処理手段２５は、部品情報マスタ１５のレコードのうち、部材ＩＤが構成部材選択受付処理手段２４により受け付けた部材ＩＤと一致するレコードを抽出する処理を実行する。
【０１０８】
部品選択受付処理手段２６は、部品抽出処理手段２５により抽出された部品を表示・選択させるための部品表示・選択画面８０の表示用データを端末装置３に送信するとともに、部品表示・選択画面８０で選択されて端末装置３からネットワーク２を介して送信されてくる部品の識別情報（部品ＩＤ）を受信する処理を実行する構成となっている。
【０１０９】
部品属性情報抽出処理手段２７は、部品選択受付処理手段２６により受け付けた部品に対して選択入力可能な属性情報を、受信された部品の識別情報をキーとして、部品属性情報記憶手段である部品属性情報マスタ１６から抽出する処理を実行する構成となっている。すなわち、部品属性情報抽出処理手段２７は、部品属性情報マスタ１６のレコードのうち、部品ＩＤが部品選択受付処理手段２６により受け付けた部品ＩＤと一致するレコードを抽出する処理を実行する。
【０１１０】
部品属性情報選択入力受付処理手段２８は、部品属性情報抽出処理手段２７により抽出された部品の属性情報を選択入力させるための部品属性情報選択入力画面１１０の表示用データを端末装置３に送信するとともに、部品属性情報選択入力画面１１０で選択入力されて端末装置３からネットワーク２を介して送信されてくる部品の属性情報を受信する処理を実行する構成となっている。
【０１１１】
モード画面切換処理手段２９は、端末装置３へ送信する担当者モード画面の表示用データと顧客モード画面の表示用データとを、端末装置３からの要求信号（本実施形態では、画面表示区分（０（顧客モード画面）、１（担当者モード画面）））に応じて切り換える処理を実行する構成となっている。すなわち、モード画面切換処理手段２９は、端末装置３から送信されてきた要求信号である画面表示区分が０の場合は、端末装置３へ送信する画面を顧客モード画面に切り換える処理を実行し、端末装置３から送信されてきた要求信号である画面表示区分が１の場合は、端末装置３へ送信する画面を担当者モード画面に切り換える処理を実行する。なお、端末装置３の出力手段に出力されるデフォルト画面は、顧客モード画面となっている。
【０１１２】
カテゴリ色分け表示処理手段３０は、カテゴリ表示・選択画面４０に表示されているカテゴリに対して、このカテゴリに属する構成部材に対して選択された部品の属性情報の選択入力の進捗状況（確定状況）に応じた色分け表示処理を実行する構成となっている。すなわち、カテゴリ色分け表示処理手段３０は、カテゴリに属する構成部材の全部に対して部品の属性情報の選択入力が確定している場合と、カテゴリに属する構成部材の一部に対して部品の属性情報の選択入力が確定している場合と、カテゴリに属する構成部材の全部に対して部品の属性情報の選択入力が確定していない場合と、に応じた色分け表示処理を、カテゴリに対して実行するものとなっている。
【０１１３】
また、カテゴリ色分け表示処理手段３０は、顧客モード画面において、カテゴリに属する構成部材の全部に対して部品の属性情報の選択入力が確定している場合であっても、担当者モード画面において、担当者側で確定すべき属性情報の選択入力が確定していない場合には、担当者モード画面において、カテゴリに属する構成部材の一部に対して部品の属性情報の選択入力が確定している場合に応じた色分け表示処理を、カテゴリに対して実行するものとなっている。
【０１１４】
部品属性情報未確定表示処理手段３１は、確定部品一覧表示画面１３０に表示される部品のうち、顧客モード画面において、部品の属性情報の選択入力が確定している場合であっても、担当者モード画面において、担当者側で確定すべき属性情報の選択入力が確定していない部品に対しては、担当者モード画面において、部品の属性情報の選択入力が未確定である旨の表示処理を実行する構成となっている。
【０１１５】
住宅仕様情報抽出処理手段３４は、住宅仕様情報テーブル１１に記憶されている顧客別の住宅仕様情報レコードのうち、端末装置３で入力されてこの端末装置３からネットワーク２を介して送信されてくる顧客（処理対象となってる顧客）の識別情報である顧客ＩＤを有する住宅仕様情報レコードを、前記顧客ＩＤをキーとして、住宅仕様情報テーブル１１から抽出する処理を実行するものとなっている。
【０１１６】
住宅施工事例情報選択受付処理手段３５は、住宅施工事例情報テーブル１７に記憶されたメーカー仕様住宅施工事例情報の一覧を表示するとともにこの一覧から前記メーカー仕様住宅施工事例情報を選択させるためのメーカー仕様住宅施工事例情報選択画面の表示用データを端末装置３へ送信するとともに、メーカー仕様住宅施工事例情報選択画面で選択されて端末装置３からネットワーク２を介して送信されてくる前記メーカー仕様住宅施工事例情報を受信する処理を実行するものである。また、住宅施工事例情報選択受付処理手段３５は、住宅施工事例情報テーブル１７に記憶された販売店仕様住宅施工事例情報の一覧を表示するとともにこの一覧から前記販売店仕様住宅施工事例情報を選択させるための販売店仕様住宅施工事例情報選択画面の表示用データを端末装置３へ送信するとともに、販売店仕様住宅施工事例情報選択画面で選択されて端末装置３からネットワーク２を介して送信されてくる販売店仕様住宅施工事例情報を受信する処理を実行するものである。
【０１１７】
住宅施工事例情報選択画面切換処理手段３６は、端末装置３へ送信するメーカー仕様住宅施工事例情報選択画面の表示用データと、販売店仕様住宅施工事例情報選択画面の表示用データと、を端末装置３からの要求信号に応じて切り換える処理を実行するものとなっている。
【０１１８】
住宅施工事例情報参照登録処理手段３７は、住宅施工事例情報選択受付処理手段３５により受け付けたメーカー仕様住宅施工事例情報を、端末装置３で入力されてこの端末装置３からネットワーク２を介して送信されてくる顧客の識別情報である顧客ＩＤと関連付けて住宅仕様情報テーブル１１に記憶させる処理を実行するものである。また、住宅施工事例情報参照登録処理手段３７は、住宅施工事例情報選択受付処理手段３５により受け付けた販売店仕様住宅施工事例情報を、端末装置３で入力されてこの端末装置３からネットワーク２を介して送信されてくる顧客の識別情報である顧客ＩＤと関連付けて住宅仕様情報テーブル１１に記憶させる処理を実行するものである。より具体的には、住宅施工事例情報参照登録処理手段３７は、住宅施工事例情報テーブル１７を構成する住宅施工事例情報明細テーブル１７Ｂのレコードのうち、住宅施工事例情報選択受付処理手段３５により受け付けたメーカー仕様住宅施工事例情報又は販売店仕様住宅施工事例情報の識別情報である施工事例ＩＤを有するレコードを抽出し、この抽出したレコードの情報を、端末装置３で入力されてこの端末装置３からネットワーク２を介して送信されてくる顧客の識別情報である顧客ＩＤと関連付けて住宅仕様情報テーブル１１に記憶させる処理を実行するものである。
【０１１９】
既登録住宅仕様情報参照登録処理手段３８は、住宅仕様情報抽出処理手段３４により抽出された顧客の住宅仕様情報を、施工事例の識別情報である施工事例ＩＤと関連付けて住宅施工事例情報テーブル１７に記憶する処理を実行するものとなっている。
【０１２０】
帳票データファイル作成処理手段５０は、住宅仕様情報テーブル１１に記憶されている顧客別の住宅仕様情報のうち、少なくとも仕様が確定した住宅の構成部材の確定品番、確定品名、属性情報である属性種別及び属性値、画像情報である属性画像に基づき、パーソナルコンピュータのアプリケーションソフトウェアで読み込み可能なファイル形式の帳票データファイルを作成する処理を実行するものである。より具体的には、帳票データファイル作成処理手段５０は、端末装置３で入力されてこの端末装置３からネットワーク２を介して送信されてくる顧客の識別情報である顧客ＩＤを有する住宅仕様情報テーブル１１のレコードのうち、少なくとも仕様が確定したレコード（確定保留区分＝１のレコード）を抽出し、この抽出したレコードの確定品番、確定品名、属性情報である属性種別及び属性値、画像情報である属性画像に基づき、パーソナルコンピュータのアプリケーションソフトウェアで読み込み可能なファイル形式の帳票データファイルを作成する処理を実行するものである。
【０１２１】
また、帳票データファイル送信処理手段５１は、帳票データファイル作成処理手段５０により作成された帳票データファイルを端末装置３に送信（ダウンロード）する処理を実行するものである。
【０１２２】
住宅施工事例情報カテゴリ選択受付処理手段５２は、メーカー仕様住宅施工事例情報選択画面又は販売店仕様住宅施工事例情報選択画面で選択された施工事例の識別情報である施工事例ＩＤを有する住宅施工事例情報明細テーブルに記憶された住宅施工事例情報のカテゴリの一覧を表示するとともにこの一覧から顧客の識別情報である顧客ＩＤと関連付けて住宅仕様情報テーブル１１に記憶させる前記住宅施工事例情報の前記カテゴリを少なくとも１個選択させるための住宅施工事例情報カテゴリ表示・選択画面の表示用データを、端末装置３へ送信するとともに、前記住宅施工事例情報カテゴリ表示・選択画面で選択されて端末装置３からネットワーク２を介して送信されてくる前記住宅施工事例情報のカテゴリの識別情報であるカテゴリＩＤを受信する処理を実行するものである。この場合において、住宅施工事例情報参照登録処理手段３７は、少なくとも、住宅施工事例情報カテゴリ選択受付処理手段５２により受け付けた前記カテゴリＩＤに属する構成部材の属性情報を、端末装置３で入力されてこの端末装置３からネットワーク２を介して送信されてくる顧客の識別情報である顧客ＩＤと関連付けて住宅仕様情報テーブル１１に記憶させる処理を実行する。
【０１２３】
次に、本実施形態に係る住宅仕様確定支援システムで実行される各処理を説明する。なお、以下の説明で参照する図２〜図２２に示されている各画面は、端末装置３の出力手段であるディスプレイに出力されるものであり、これらの画面の表示用データは、サーバ１の処理手段２０により作成されて端末装置３へ送信されるものである。
【０１２４】
本実施形態に係る住宅仕様確定支援システムの利用の開始は、端末装置３に表示される図示しないログイン画面で入力された利用者（住宅販売店の担当者）のユーザＩＤ及びパスワードがサーバ１に送信され、このサーバ１よるユーザＩＤ及びパスワードの認証処理を経て行われる。なお、利用者のユーザＩＤ及びパスワード等の情報は、システム管理者によってユーザマスタに予め登録されている。
【０１２５】
サーバ１によるユーザＩＤ及びパスワードの認証がされると、端末装置３には、図示しない顧客情報管理画面が表示される。この顧客情報管理画面では、担当者が担当する顧客の新規登録や、これから住宅仕様の打合せを行う登録済の顧客の選択等を行う。担当者が、顧客情報管理画面に表示された顧客の一覧からこれから打合せを行う顧客を選択すると、選択された顧客の識別情報である顧客ＩＤの取得処理が行われるとともに、担当者との打合せが始まるまで間に顧客に見せる図示されないインフォメーション画面（待受画面）が表示される。このインフォメーション画面には、例えば、担当者がこれから打合せを行う顧客の住宅工事スケジュール情報（顧客情報テーブル１０の契約日、部材発注予定日、着工予定日、部材入荷予定日、引渡し予定日等）や、システムの利用方法等の情報が表示されるようになっている。
【０１２６】
このインフォメーション画面の上部には、このインフォメーション画面や、構成部材の部品の選択入力画面や、部品の属性情報の選択入力が確定した部品の一覧表示画面のタブが配置されており、これら３つの画面のうち、表示させたい画面のタブをクリック（マウスのクリックによるものでもよく、キーボードのキー押下によるものでもよい。以下同じ）することにより、選択したタブ画面に遷移するようになっている。また、インフォメーション画面の最上部には、住宅施工事例を選択するための選択画面を表示するための「施工事例」ボタンも配置されている。
【０１２７】
図２には、構成部材の部品の選択入力を行うための最初の画面であって、構成部材のカテゴリの一覧を表示するとともにこの一覧から仕様を確定する構成部材が属するカテゴリを選択させるためのカテゴリ表示・選択画面４０（言い換えると、フロー表示・選択画面４０）が表示されている。この画面４０の最上部には、左から、上記インフォメーション画面を表示させるための「インフォメーション」タブ４１、この図２に表示されている画面４０を表示させるための「フロー」タブ４２、属性情報の選択入力が確定した部品の一覧表示画面を表示させるための「選択部品一覧」タブ４３の３個のタブが表示されている。したがって、上述したインフォメーション画面や、属性情報の選択入力が確定した部品の一覧表示画面が表示されているときにも、これらの３個のタブが表示される。
【０１２８】
図２に示されているように、カテゴリ表示・選択画面４０は、構成部材のカテゴリの一覧を表示するものとなっている。このカテゴリの一覧の上部には、５個のカテゴリ表示欄４４が横方向に並んで配置されており、最も左側のカテゴリ表示欄４４から順に「外部」、「内部」、「水廻り設備」、「電気、空調等」、「インテリア・エクステリア」のカテゴリ名称が表示されている。また、それぞれのカテゴリ表示欄４４の下には、それぞれのカテゴリ表示欄４４のカテゴリに属する複数のカテゴリ表示欄４５（言い換えると、カテゴリボタン４５）が縦方向に並んで配置されている。すなわち、カテゴリ表示欄４５のカテゴリは、カテゴリ表示欄４４のカテゴリの下位カテゴリとなっており、言い換えると、カテゴリ表示欄４４のカテゴリは、カテゴリ表示欄４５のカテゴリの上位カテゴリとなっている。
【０１２９】
図３は、図２のカテゴリ表示・選択画面４０の部分拡大図であり、図２のカテゴリ表示欄４４に表示されているカテゴリ名称が「水廻り設備」となっているカテゴリに属する複数のカテゴリ表示欄４５の拡大図である。
【０１３０】
図３に示すように、カテゴリ表示欄４５は、カテゴリ表示欄４４のカテゴリの下位カテゴリのカテゴリ名称を表示するためのカテゴリ名称表示欄４５Ａと、カテゴリ表示欄４４のカテゴリの下位カテゴリに属する構成部材の部品の属性情報の選択入力の進捗状況情報を表示するための進捗状況表示欄４５Ｂとで構成されている。
【０１３１】
図３に示すように、縦方向に並んで配置されている複数のカテゴリ表示欄４５のカテゴリ名称表示欄４５Ａには、カテゴリ「水廻り設備」の下位カテゴリのカテゴリ名称である「キッチン」、「キッチンカウンター」、「カップボード」、「バスユニット」、「洗面化粧台」、「トイレ」、「手洗いカウンター」、「トイレ収納」等が表示されている。
【０１３２】
なお、上位のカテゴリ表示欄４４に表示されるカテゴリ名称は、カテゴリ情報マスタ１３のレコードのうち、上位カテゴリＩＤがゼロ以外であって、かつ、カテゴリＩＤがゼロである各レコードのカテゴリ名称が表示されるものとなっている。また、下位のカテゴリ表示欄４５のカテゴリ名称表示欄４５Ａに表示されるカテゴリ名称は、カテゴリ情報マスタ１３のレコードのうち、上位カテゴリＩＤがゼロ以外であって、かつ、カテゴリＩＤがゼロ以外である各レコードのカテゴリ名称が表示されるものとなっている。
【０１３３】
カテゴリ表示欄４５の進捗状況表示欄４５Ｂに表示される進捗状況情報は、進捗状況情報テーブル１２のデータ項目のうちの進捗状況区分と完了日時とから編集されるものであり、この進捗状況情報テーブル１２のレコードの取得は、顧客ＩＤ及びカテゴリＩＤをキーとして、進捗状況情報テーブル１２から抽出処理を実行するサーバ１の処理手段２０を構成する図示しない進捗状況抽出処理手段により実行される。
【０１３４】
それぞれのカテゴリの進捗状況表示欄４５Ｂに表示される進捗状況情報は、取得した進捗状況情報テーブル１２の進捗状況区分及び完了日時と、以下の条件とにより生成される。なお、前述したように、進捗状況区分には、０（打合せ未着手）、１（打合せ中）、２（打合せ済（顧客側））、３（打合せ済（担当者側））があり、「０」は、顧客側で確定すべき仕様が何も確定していない状態を意味し、「１」は、顧客側で確定すべき仕様が一部確定した状態を意味し、「２」は、顧客側で確定すべき仕様がすべて確定した状態を意味し、「３」は、担当者側で確定すべき仕様もすべて確定した状態を意味するものである。
【０１３５】
このため、進捗状況区分が０である場合には、進捗状況表示欄４５Ｂには、文字列「未着手」が表示される。また、進捗状況区分が１である場合には、進捗状況表示欄４５Ｂには、「選択中」が表示される。なお、この進捗状況表示欄４５Ｂには、進捗状況情報テーブル１２の完了日時（直近の打合せ日時（具体的にはデータ登録・更新日時）が格納されている）と「打合せ未完了」を連結した文字列「XXXX年XX月XX日打合せ未完了」を表示するようにしてもよい。また、進捗状況区分が２又は３である場合には、進捗状況表示欄４５Ｂには、進捗状況情報テーブル１２の完了日と「打合せ済」を連結した文字列「XXXX年XX月XX日打合せ済」が表示される。
【０１３６】
また、本実施形態では、下位のカテゴリ表示欄４５の背景色は、進捗状況情報テーブル１２の進捗状況区分の値に応じた色分けが行われるようになっている。なお、図２及び図３における背景色の着色は、便宜上、網掛け表示となっている。
【０１３７】
すなわち、進捗状況区分が０である場合には、カテゴリ表示欄４５の背景色は白色（言い換えると、デフォルトの画面背景色のまま）であり、進捗状況区分が１である場合には、カテゴリ表示欄４５の背景色は黄色に着色され、進捗状況区分が３である場合には、カテゴリ表示欄４５の背景色は緑色に着色される。なお、図２のカテゴリ表示・選択画面４０右最上部には、上述したカテゴリ表示欄４５の背景色の凡例４６が表示されている。
【０１３８】
進捗状況区分が２である場合には、カテゴリ表示欄４５の背景色は、現在表示されているカテゴリ表示・選択画面４０が顧客モード画面となっているか担当者モード画面となっているかによって異なる。
【０１３９】
ここで、カテゴリ表示・選択画面４０には、前述したように、担当者モード画面と顧客モード画面とがあり、このカテゴリ表示・選択画面４０におけるモード画面の切り換えは、画面４０の右最下部に配置されている「お客様モード」（顧客モード）ボタン４７あるいは「担当者モード」ボタン４８をクリックすることにより行われる。すなわち、「お客様モード」（顧客モード）ボタン４７あるいは「担当者モード」ボタン４８がクリックされることにより、端末装置３からモード切換の要求信号（本実施形態では、画面表示区分（０（顧客モード画面）、１（担当者モード画面）））がサーバ１に送信され、サーバ１は、受信した要求信号に応じて端末装置３に送信する顧客モード画面の表示用データと担当者モード画面の表示用データとを切り換える。なお、端末装置３に送信する表示用データの切換処理は、サーバ１のモード画面切換処理手段２９により実行される。
【０１４０】
現在表示されているカテゴリ表示・選択画面４０が顧客モード画面となっている場合には、進捗状況情報テーブル１２の進捗状況区分が２（打合せ済（顧客側））であるカテゴリのカテゴリ表示欄４５の背景色は緑色に着色される。しかし、現在表示されているカテゴリ表示・選択画面４０が担当者モード画面となっている場合には、進捗状況情報テーブル１２の進捗状況区分が２（打合せ済（顧客側））となっているカテゴリのカテゴリ表示欄４５の背景色は黄色に着色される。この着色処理は、顧客モード画面においては、カテゴリ表示欄４５のカテゴリに属する構成部材の全部に対して部品の属性情報の選択入力が確定している場合であっても、担当者モード画面においては、担当者側で確定すべき部品の属性情報の選択入力が確定していない構成部材が存在することを担当者に知らしめるための処理である。一方、進捗状況情報テーブル１２の進捗状況区分が３（打合せ済（担当者側））であるカテゴリのカテゴリ表示欄４５の背景色は、前述したように、現在表示されているカテゴリ表示・選択画面４０が顧客モード画面となっているか否かにかかわらず（すなわち、顧客モード画面及び担当者モード画面において）、緑色に着色される。
【０１４１】
なお、進捗状況情報テーブル１２の進捗状況区分に応じたカテゴリ表示欄４５の背景色に付す色は、上述した色に限定されるものではなく、任意である。
【０１４２】
なお、前述したように、カテゴリ情報マスタ１３のデータ項目には表示設定区分があり、この表示設定区分には、０（顧客に見せる）と１（担当者にのみ見せる）とがあり、表示設定区分に１が設定された下位のカテゴリＩＤに対応するカテゴリ表示欄４５は、顧客モード画面では何も表示されず、担当者モード画面に切り換えることにより表示されるようになっている。
【０１４３】
このように、カテゴリ表示・選択画面４０には、担当者側で確定すべきカテゴリの選択が可能な担当者モード画面と、担当者側で確定すべきカテゴリを含まないカテゴリの選択が可能な顧客モード画面と、がある。言い換えると、カテゴリ表示・選択画面４０には、担当者側で確定すべきカテゴリを含まないカテゴリの選択が可能な顧客モード画面と、担当者側で確定すべきカテゴリも含むカテゴリの選択が可能な担当者モード画面と、がある。
【０１４４】
また、前述したように、カテゴリ情報マスタ１３のデータ項目には必須・任意設定区分があり、この必須・任意設定区分には、０（任意項目）と１（必須項目）とがあり、必須・任意設定区分に１が設定された下位のカテゴリＩＤの進捗状況情報テーブル１２の進捗状況区分が０（打合せ未着手）である場合には、カテゴリ表示欄４５の背景色は赤色（デフォルトの画面背景色とは異なる色）に着色されるようにしてもよい。この着色処理は、必須のカテゴリに属する部材の部品の属性情報の選択入力が未着手の状態であることを担当者に知らしめるための処理である。
【０１４５】
なお、上述した色分け処理は、サーバ１の処理手段２０のカテゴリ色分け表示処理手段３０により実行される。すなわち、カテゴリ色分け表示処理手段３０によりカテゴリ表示・選択画面４０の表示用データが色分け処理された後、この色分け処理された表示用データは、カテゴリ選択受付処理手段２２によりサーバ１からネットワーク２を介して送信される。
【０１４６】
図２のカテゴリ表示・選択画面４０において、利用者が、部品の属性情報の選択入力を行う構成部材が属するカテゴリ表示欄４５をクリックすることにより、このクリックされたカテゴリ表示欄４５に対応するカテゴリの識別情報であるカテゴリＩＤが、端末装置３からネットワーク２を介してサーバ１へ送信され、この送信されたカテゴリＩＤがサーバ１で受信される。
【０１４７】
なお、サーバ１からカテゴリ表示・選択画面４０の表示用データが端末装置３に送信される処理から、上述したように、カテゴリ表示・選択画面４０において選択されたカテゴリのカテゴリＩＤがサーバ１で受信されるまでの処理は、サーバ１の処理手段２０のカテゴリ選択受付処理手段２２により実行される。すなわち、サーバ１の処理手段２０のカテゴリ選択受付処理手段２２により、カテゴリ表示・選択画面４０の表示用データを端末装置３へ送信するとともに、カテゴリ表示・選択画面４０で選択されて端末装置３からネットワーク２を介して送信されてくるカテゴリの識別情報であるカテゴリＩＤを受信する処理が実行される。
【０１４８】
この後、サーバ１では、カテゴリ選択受付処理手段２２により受け付けたカテゴリＩＤに属する構成部材を、カテゴリＩＤをキーとして、構成部材情報記憶手段である部材情報マスタ１４から抽出する処理が、構成部材抽出処理手段２３により実行される。すなわち、部材情報マスタ１４のレコードのうち、カテゴリＩＤがカテゴリ選択受付処理手段２２により受け付けたカテゴリＩＤと一致するレコードが、構成部材抽出処理手段２３により抽出される。
【０１４９】
図４には、構成部材抽出処理手段２３により抽出された構成部材の一覧を表示するとともにこの一覧から部品の属性情報を確定する構成部材を選択させるための構成部材表示・選択画面６０（言い換えると、カテゴリ表示・選択画面４０に表示されている構成部材のカテゴリよりも下位のカテゴリ表示・選択画面６０）の部分拡大図が示されている。この構成部材表示・選択画面６０の表示用データは、サーバ１の処理手段２０の構成部材選択受付処理手段２４により端末装置３へ送信されるものとなっている。なお、この構成部材選択受付処理手段２４は、構成部材表示・選択画面６０で選択されて端末装置３からネットワーク２を介して送信されてくる構成部材の識別情報である部材ＩＤを受信する処理も実行するものである。
【０１５０】
図４の構成部材表示・選択画面６０に表示されている構成部材は、図２及び図３のカテゴリ表示・選択画面４０において、上位カテゴリ「水廻り設備」の下位カテゴリである「キッチン」が選択された場合における構成部材抽出処理手段２３により抽出された構成部材である。
【０１５１】
図４に示すように、「キッチン」の構成部材は複数あり、左側から、本体である「シリーズ」、「オプション」、「シンク」等となっており、それぞれの部材に対して選択入力された仕様情報が表示される部材表示欄６３が横方向に並んで配置されている。
【０１５２】
なお、構成部材表示・選択画面６０の左最上部には、カテゴリ表示・選択画面４０で選択された上位カテゴリのカテゴリ名称６１と、この上位カテゴリの下位カテゴリのカテゴリ名称６２とからなるパンくずリストが表示されている。
【０１５３】
それぞれの部材表示欄６３の左上部には、部材名称欄６４が配置されており、この部材名称欄６４には、部材情報マスタ１４の部材名称が表示される。また、それぞれの部材表示欄６３の右上部には、必須・任意表示欄６５と、確定・未確定表示欄６６と、複数選択表示欄６７が配置されている。
【０１５４】
必須・任意表示欄６５は、部品の選択、あるいは、部品の属性情報の選択入力が必須であるか否かを表示するものであり、前述したカテゴリ情報マスタ１３の必須・任意設定区分と同様に、部材情報マスタ１４の必須・任意設定区分が１（必須項目）となっている場合にのみ、必須・任意表示欄６５に「必」が表示される。
【０１５５】
また、確定・未確定表示欄６６は、部品の属性情報の選択入力が確定しているか否かを表示するものであり、サーバ１の図示しない部材進捗状況情報テーブルの進捗状況区分が２（打合せ済（顧客側））又は３（打合せ済（担当者側））の場合には、確定・未確定表示欄６６には「確」が表示され、部材進捗状況情報テーブルの進捗状況区分が上記２、３以外の場合には、確定・未確定表示欄６６には「未」が表示される。
【０１５６】
また、複数選択表示欄６７は、複数の部品の選択が可能であるか否かを表示するものであり、部材情報マスタ１４の複数選択区分が１（複数選択可）となっている場合にのみ、複数選択表示欄６７に「複」が表示される。
【０１５７】
図４では、表示されている部材（「シリーズ」、「オプション」、「シンク」等）の全部について、部品の属性情報の選択入力が行われていない状態となっており、このため、それぞれの部材表示欄６３には、「部品を選択する」の文字列が表示されている。なお、部品の属性情報の選択入力が必須の部材であっても、「部品を選択しない」ボタン７５が表示されている部材については、この「部品を選択しない」ボタン７５をクリックすることにより、部品の属性情報の選択入力を行わずに、部品の属性情報の選択入力が完了（確定）したものとすることができるようになっている（図４の「シンク」の部材表示欄６３を参照）。
【０１５８】
なお、構成部材表示・選択画面６０にも、顧客モード画面と担当者モード画面とがあり、部材情報マスタ１４のデータ項目には、カテゴリ情報マスタ１３と同様に、表示設定区分（０（顧客に見せる）と１（担当者にのみ見せる））がある。このため、担当者側で部品の属性情報の選択入力を行うべき部材に対しては、部材情報マスタ１４の表示設定区分に１を設定することにより、構成部材表示・選択画面６０の顧客モード画面においては、表示設定区分に１を設定した部材の部材表示欄６３を表示させないようにすることが可能となる。
【０１５９】
なお、顧客モード画面と担当者モード画面の切換は、後述する図５及び図６の画面右最下部に配置されている「お客様モード」ボタン８６あるいは「担当者モード」ボタン８７をクリックすることにより行われる。
【０１６０】
この図４に示す構成部材表示・選択画面６０において、部品の選択を行う部材の部材表示欄６３（正確には「部品を選択する」が表示されている領域）をクリックすると、図５に示すように、構成部材表示・選択画面６０の下には、構成部材表示・選択画面６０で選択された構成部材に対して選択可能な部品の一覧を表示するとともにこの一覧から部品を選択させるための部品表示・選択画面８０が表示される。
【０１６１】
図６には、この部品表示・選択画面８０の部分拡大図が表示されている。この図６に示されているように、部品表示・選択画面８０には、構成部材表示・選択画面６０で選択された構成部材に対して選択可能な部品の一覧がカード形式で表示されるものである。横方向に複数個並んで表示されているそれぞれの部品情報カード８１には、部品情報マスタ１５から取得された部品名称８１Ａ、部品単価８１Ｂ、部品画像８１Ｃ、製造メーカー名８１Ｄ（部品情報マスタ１５のメーカーＩＤを参照キーとして図示しないメーカーマスタから取得）等が表示される。
【０１６２】
なお、サーバ１の処理手段２０の部品抽出処理手段２５により、構成部材選択受付処理手段２４により受け付けた構成部材に対して選択可能な部品を、受信された構成部材の識別情報である部材ＩＤをキーとして、部品情報マスタ１５から抽出する処理が実行され、この部品抽出処理手段２５により抽出された部品が部品表示・選択画面８０に表示されるようになっている。
【０１６３】
なお、部品表示・選択画面８０の表示用データは、サーバ１の処理手段２０の部品選択受付処理手段２６により端末装置３へ送信されるものとなっている。なお、この部品選択受付処理手段２６は、部品表示・選択画面８０で選択されて端末装置３からネットワーク２を介して送信されてくる部品の識別情報である部品ＩＤを受信する処理も実行するものである。
【０１６４】
部品表示・選択画面８０の下部には、前ボタン８２Ａと後ボタン８２Ｂとからなるカード前後移動ボタン８２が配置されており、前ボタン８２Ａがクリックされると、現在表示されている部品情報カード８１群よりも画面手前側に存在する部品情報カード８１群が表示され、後ボタン８２Ｂがクリックされると、現在表示されている部品情報カード８１群よりも画面奥側に存在する部品情報カード８１群が表示される。
【０１６５】
また、図６に示されているように、部品表示・選択画面８０の左最下部には、「絞込み画面を開く」ボタン８３が配置されており、この「絞込み画面を開く」ボタン８３がクリックされることにより、図示しない絞込検索条件選択入力画面が表示される。そして、この絞込検索条件選択入力画面において、部品の属性情報（例えば、位置（左／右／中央）、色、サイズ（最小寸法、最大寸法）、価格（最低価格、最高価格）等）を選択入力することにより、現在表示されている部品情報カード８１群の件数を絞り込むことができる。
【０１６６】
一度件数を絞り込んだ後、絞り込む前の部品情報カード８１群の全件を表示させるためには、「絞込み画面を開く」ボタン８３の右側に配置されている「全件を表示する」ボタン８４をクリックする。なお、「全件を表示する」ボタン８４の右側には、部品表示・選択画面８０に現在表示されている部品情報カード８１群の件数８５が表示されるようになっている。
【０１６７】
なお、部品表示・選択画面８０にも、顧客モード画面と担当者モード画面があり、部品表示・選択画面８０のモードは、この部品表示・選択画面８０の前の処理画面である構成部材表示・選択画面６０の画面モード（前述した画面表示区分）を引き継ぐものとなっている。
【０１６８】
部品表示・選択画面８０に表示されている部品情報カード８１群のうちの１個の部品情報カード８１がクリックされると、図７に示すように、部品表示・選択画面８０で選択された部品の属性情報を選択入力させるための部品属性情報選択入力画面１１０が表示される。この部品属性情報選択入力画面１１０にも、顧客モード画面と担当者モード画面があり、部品属性情報選択入力画面１１０のモードは、この部品属性情報選択入力画面１１０の前の処理画面である部品表示・選択画面８０のモードを引き継ぐものとなっている。
【０１６９】
図７に示されているように、部品属性情報選択入力画面１１０の左最上部には、部材名称欄１１１が配置されており、この部材名称欄１１１に構成部材表示・選択画面６０で選択された構成部材の部材名称が表示される。
【０１７０】
品番欄１１５の下には、部品の属性種別名称欄１１９と属性値選択欄１２０が配置されており、部品の属性種別名称欄１１９には、部品表示・選択画面８０で選択された部品に対して選択可能な属性種別名称が表示され、部品の属性値選択欄１２０には、属性種別名称欄１１９に表示された属性種別名称に対して選択可能な属性値の一覧が横方向に並んで配置される。
【０１７１】
図７に示されている例では、「レンジフード」の属性種別名称として「幅」、「高さ」、「材質」があり、「幅」として選択可能な属性値として「200ｍｍ」、「300ｍｍ」、「400ｍｍ」、「600ｍｍ」の４通りがあり、「高さ」として選択可能な属性値として「200ｍｍ」、「300ｍｍ」、「400ｍｍ」、「500ｍｍ」の４通りがあり、「材質（色）」として選択可能な属性値として「ホワイト」、「ブルー」、「アプリコット」の３通りがある。なお、これらの属性情報は、サーバ１の部品属性情報抽出処理手段２７により部品属性情報マスタ１６から抽出される。すなわち、部品属性情報マスタ１６のレコードのうち、部品ＩＤが部品選択受付処理手段２６により受け付けた部品ＩＤと一致するレコードが、部品属性情報抽出処理手段２７により抽出され、抽出されたレコードの属性情報が部品属性情報選択入力画面１１０に表示される。
【０１７２】
部材名称欄１１１の右側には、部品の属性値の組合せ件数表示欄１１２が配置されており、図７に示されている例では、「幅」の属性値が４パターン、「高さ」の属性値が４パターン、「材質」の属性値が３パターンとなっており、組合せ件数表示欄１１２には、４×４×３の合計４８件が表示される。なお、この組合せ件数は、必ずしも各属性値のパターン数を乗算した数とは限らず、部品ごとに異なる。
【０１７３】
また、単価表示欄１１６には、属性値の組合せにより算出される部品の最低単価と最高単価が表示される。それぞれの属性種別について属性値を１個選択することにより、部品の仕様が１通りに決定（確定）され、単価表示欄１１６には、確定した部品の単価が表示され、部材名称欄１１１の下の品名欄１１４、品番欄１１５には、確定した部品の品名、品番が表示される。
【０１７４】
このとき、組合せ件数表示欄１１２の件数は１となる。この後、単価表示欄１１６の下部に配置されている数量入力欄１１７に必要な数量を入力した後、画面最下部の「金額を更新」ボタン１２４をクリックすることにより、決定した単価に、数量入力欄１１７で入力した数量を乗じた合計金額が、合計金額表示欄１１８に表示される。なお、画面右最上部に配置されている「絞込みをクリア」ボタン１１３をクリックすることにより、各属性種別で選択した属性値が解除され、部品の属性値の組合せ件数表示欄１１２に表示される件数も、最初に表示されていた件数に戻る。
【０１７５】
それぞれの属性種別について属性値を選択し、数量を入力した状態で、画面下部に配置されている「確定する」ボタン１２２がクリックされると、上記の属性情報が確定された状態で部品表示・選択画面８０に戻る。一方、画面下部に配置されている「保留する」ボタン１２３がクリックされると、上記の属性情報が保留された状態で部品表示・選択画面８０に戻るが、部品属性情報選択入力画面１１０で属性情報の選択入力が行われた部品の部品情報カード８１の背景色は、黄色に着色される。
【０１７６】
なお、部品属性情報選択入力画面１１０も、担当者モード画面と顧客モード画面とがあり、担当者側で確定すべき属性情報については、顧客モード画面では表示しないように設定することができる。すなわち、部品属性情報マスタ１６のレコードのうち、「表示設定区分」に１（担当者にのみ見せる）が設定されたレコードの属性情報については、顧客モード画面には表示されない。
【０１７７】
なお、図示されていないが、部品属性情報選択入力画面１１０には、この画面で属性情報の選択入力を行う部品に関する情報（カタログ等の資料）を閲覧することができるサイトのＵＲＬボタンが複数配置されている。このため、これらのＵＲＬボタンがクリックされることにより、顧客は、部品属性情報選択入力画面１１０で属性情報の選択入力を行う部品の詳しい情報をその場で知ることができるようになる。
【０１７８】
図８は、図７の部品属性情報選択入力画面１１０において属性情報の選択入力を確定させた状態の構成部材が表示されている図４の構成部材表示・選択画面６０の拡大図である。
【０１７９】
この図８に示されているように、属性情報の選択入力が確定した状態の構成部材は、「シリーズ」であり、この「シリーズ」の部材表示欄６３には、部品画像７１と、部品属性情報選択入力画面１１０で選択入力されたことにより確定した品名７２、数量７３、金額７４が表示され、部材表示欄６３の背景色は緑色に着色されている（図８では便宜上網掛け表示）。また、「シリーズ」の部材表示欄６３の右上部の確定・未確定表示欄６６は、「未」から「確」へと表示されている。
【０１８０】
属性情報の選択入力が確定した状態の構成部材の部材表示欄６３には、「クリア」ボタン７０が表示されており、この「クリア」ボタン７０をクリックすることにより、部品の選択、部品の属性情報の選択入力がされていない初期状態に戻すことができる。
【０１８１】
この状態において「フロー画面に戻る」ボタン７６をクリックすると、部品属性情報選択入力画面１１０で選択入力が確定した部品の属性情報等がサーバ１の住宅仕様情報テーブル１１や進捗状況情報テーブル１２等に登録されずに、図２のカテゴリ表示・選択画面４０に戻る。
【０１８２】
一方、「選択を完了する」ボタン７７をクリックすると、部品属性情報選択入力画面１１０で選択入力が確定した部品の属性情報が、端末装置３からサーバ１へ送信された後、サーバ１の住宅仕様情報登録処理手段３２により、住宅仕様情報テーブル１１への登録・更新処理が実行される。すなわち、住宅仕様情報登録処理手段３２は、確定された又は保留された部品の属性情報を、顧客の識別情報である顧客ＩＤ及び部品の識別情報である部品ＩＤと関連付けて住宅仕様情報テーブル１１に記憶する処理を実行する。
【０１８３】
また、住宅仕様情報登録処理手段３２により、カテゴリ表示・選択画面４０のカテゴリ表示欄４５に表示される各カテゴリに対応する進捗状況情報テーブル１２の進捗状況区分や完了日時が、各カテゴリに属する構成部材の部品の属性情報の選択入力の状況に応じた値、データ登録・更新日時（具体的には、サーバ１のシステム日付・時刻）に更新される。すなわち、カテゴリに属する全部の構成部材の部品の属性情報（担当者側で確定すべき属性情報を除く）の選択入力が確定されている場合には、前記カテゴリに対応する進捗状況情報テーブル１２の進捗状況区分は２（打合せ済（顧客側））に更新される。一方、カテゴリに属する全部の構成部材の部品の属性情報（担当者側で確定すべき属性情報を含む）の選択入力が確定されている場合には、前記カテゴリに対応する進捗状況情報テーブル１２の進捗状況区分は３（打合せ済（担当者側））に更新される。また、カテゴリに属する一部の構成部材の部品の属性情報の選択入力が確定されている場合には、前記カテゴリに対応する進捗状況情報テーブル１２の進捗状況区分は１（打合せ中）に更新される。
【０１８４】
なお、確定された部品については、住宅仕様情報テーブル１１の確定保留区分に１がセット（移送）され、確定が保留されている部品については、住宅仕様情報テーブル１１の確定保留区分に２がセットされる。
【０１８５】
図２に示すカテゴリ表示・選択画面４０や、図４に示す構成部材表示・選択画面６０において、画面最上部の「選択部品一覧」タブ４３がクリックされると、図９に示す確定部品一覧表示画面１３０が表示される。この確定部品一覧表示画面１３０は、部品属性情報選択入力画面１１０で確定された部品の属性情報の一覧をカテゴリ（図２のカテゴリ表示・選択画面４０のカテゴリ表示欄４５に表示されるカテゴリ）単位で表示するものである。この確定部品一覧表示画面１３０の表示用データは、サーバ１の処理手段２０により生成された後、確定部品一覧表示画面表示用データ送信処理手段３３により端末装置３へ送信する処理が実行される。
【０１８６】
図９に示すように、端末装置３の出力手段に出力される確定部品一覧表示画面１３０の左上部には、上位カテゴリ（図２のカテゴリ表示・選択画面４０のカテゴリ表示欄４４に表示されるカテゴリ）を選択するための上位カテゴリリストボックス１３１と、このリストボックス１３１で選択された上位カテゴリに属する下位カテゴリを選択するための下位カテゴリリストボックス１３２が配置される。上位カテゴリリストボックス１３１がクリックされると、５個の上位カテゴリの項目名「外部」「内部」「水廻り設備」「電気・空調等」「インテリア・エクステリア」が上から順に並べられたリストが表示され、これらの上位カテゴリのリストの項目名のうちのいずれかをクリックすると、下位カテゴリリストボックス１３２の操作が有効となる。
【０１８７】
例えば、上位カテゴリリストボックス１３１において、「水廻り設備」を選択（クリック）した後、下位カテゴリリストボックス１３２をクリックすると、上位カテゴリ「水廻り設備」の下位カテゴリの項目名「キッチン」「キッチンカウンター」「カップボード」「バスユニット」「洗面化粧台」「洗面収納」「トイレ」「手洗いカウンター」「トイレ収納」「アクセサリー」「給湯」「水廻りパック」等が上から順に並べられたリストが表示される。また、これらのリストの最上部（上記の例では「キッチン」の上）には、上述した下位カテゴリの全部を選択させるための項目名「全て」が配置される。
【０１８８】
下位カテゴリリストボックス１３２において、項目名「全て」を選択（クリック）するか、下位カテゴリのリストの項目名のうちの少なくとも１個（キーボードの「Ｃｔｒｌ」キー＋マウスクリックによる複数選択可）を選択（クリック）することにより、下位カテゴリリストボックス１３２の右側に配置されている「表示」ボタン１５１の操作が有効となる。
【０１８９】
この「表示」ボタン１５１がクリックされると、選択された下位カテゴリに属する各構成部材の確定された部品の属性情報が表示される。なお、図９は、２個の下位カテゴリ「キッチン」、「キッチンカウンター」を選択したときを示す図である。
【０１９０】
また、「表示」ボタン１５１の右側に配置されている「印刷」ボタン１５２がクリックされると、この確定部品一覧表示画面１３０に表示されている情報（選択された下位カテゴリに属する各構成部材の確定された部品の属性情報）が、端末装置３の出力手段であるプリンタに印刷される。なお、この印刷処理は、サーバ１の処理手段２０の図示しない確定部品一覧表印刷処理手段により実行される。
【０１９１】
図９に示すように、上位カテゴリの名称が表示される上位カテゴリ名称欄１３４の下には、上位カテゴリよりも下位のカテゴリの名称が表示されるカテゴリ名称欄１３５が配置されている。また、このカテゴリ名称欄１３５の下には、このカテゴリ名称欄１３５に表示されているカテゴリに属する構成部材の部材名称が表示される部材名称欄１３６が配置されている。
【０１９２】
また、部材名称欄１３６の下には、確定した部品のメーカー名称欄１３８、部品名称欄１３９、部品画像欄１４０、部品の属性種別名称欄１４１、部品の属性値欄１４２、部品の属性画像欄１４３、部品の確定品番欄１４４、部品の確定単価欄１４５、部品の確定数量欄１４６、部品の確定合計金額欄１４７が配置されており、これらの欄に、住宅仕様情報テーブル１１のレコードの各データ項目等が表示されるようになっている。
【０１９３】
なお、この確定部品一覧表示画面１３０も、担当者モード画面と顧客モード画面とがあり、図９に示されている確定部品一覧表示画面１３０は、担当者モード画面となっており、担当者側で確定すべき部品の属性情報が未確定の部品については、部品の属性情報欄の背景色が赤色に着色されるようになっている（図９の便宜上網掛け表示された箇所１５０を参照）。
【０１９４】
すなわち、確定部品一覧表示画面１３０に表示される部品のうち、部品属性情報選択入力画面１１０の顧客モード画面において、部品の属性情報の選択入力が確定している場合であっても、部品属性情報選択入力画面１１０の担当者モード画面において、担当者側で確定すべき属性情報の選択入力が確定していない部品に対しては、確定部品一覧表示画面１３０の担当者モード画面において、部品の属性情報の選択入力が未確定である旨の表示処理（本実施形態では、部品の属性情報欄の背景色を赤色に着色する処理（例えば、図９では、便宜上網掛け表示されている部分１５０参照））が、サーバ１の部品属性情報未確定表示処理手段３１により実行される。
【０１９５】
なお、確定部品一覧表示画面１３０が担当者モード画面となっている場合には、画面右最上部には、図９に示すように、「帳票出力」ボタン１３３が表示される。後述するように、この「帳票出力」ボタン１３３がクリックされると、確定した部品の仕様情報が編集された各種帳票を出力するための帳票出力メニューダイアログボックス２４０が表示されるようになっている。
【０１９６】
また、図示されていないが、確定した部品の属性情報のリストに続いて、部品属性情報選択入力画面１１０で属性情報の選択入力が保留された部品の属性情報のリストも表示されるようになっている。
【０１９７】
確定部品一覧表示画面１３０が担当者モード画面となっている場合には、画面右最上部には、図９に示すように、現在表示されている確定した部品からなる部材で構成される顧客の住宅仕様情報を施工事例情報として登録するための「施工事例として反映」ボタン１３７が表示されるようになっている。
【０１９８】
なお、この確定部品一覧表示画面１３０に表示される情報は、端末装置３に表示される前述した顧客情報管理画面で選択された顧客の識別情報である顧客ＩＤを有する住宅仕様情報であり、この住宅仕様情報は、住宅仕様情報抽出処理手段３４により、前記顧客ＩＤをキーとして、住宅仕様情報テーブル１１から抽出されるものである。
【０１９９】
確定部品一覧表示画面１３０の「施工事例として反映」ボタン１３７がクリックされると、この確定部品一覧表示画面１３０に表示されている部品の属性情報が端末装置３からサーバ１に送信された後、サーバ１の既登録住宅仕様情報参照登録処理手段３８により、確定部品一覧表示画面１３０に表示されている部品の属性情報が、施工事例の識別情報である施工事例ＩＤ（本実施形態では、登録処理の際に自動採番される）と関連付けて住宅施工事例情報明細テーブルに記憶される処理が実行される。また、既登録住宅仕様情報参照登録処理手段３８により、住宅施工事例情報ヘッダーテーブルには、販売エリアの識別情報である販売エリアＩＤが、施工事例ＩＤ（住宅施工事例情報明細テーブルの上記施工事例ＩＤと同一のもの）と関連付けて記憶される。なお、住宅施工事例情報ヘッダーテーブルの販売エリアＩＤには、顧客が購入する住宅の販売店（担当者が所属する住宅販売店）が属する販売エリアの識別情報が、サーバ１の図示しない販売エリアマスタのデータに基づいて移送される。
【０２００】
なお、住宅施工事例情報ヘッダーテーブルのデータ項目のうち、前記販売エリアＩＤを除くデータ項目である施工事例名称、施工事例の画像情報である施工事例画像、施工事例の説明を記載した施工事例説明文、施工事例に関する情報のリンク情報（施工事例に関する資料が閲覧可能なウェブサイトのＵＲＬ）については、後述する住宅施工事例情報管理画面１６０で登録するようになっている。
【０２０１】
図１０は、メーカー仕様住宅施工事例情報及び販売店仕様住宅施工事例情報のメンテナンス（登録、修正、削除）をするための住宅施工事例情報管理画面１６０を示す図である。この住宅施工事例情報管理画面１６０は、前述した顧客情報管理画面の配置された図示しない「標準仕様・施工事例管理」ボタンをクリックすることにより表示されるものであり、住宅販売店の管理者やシステム管理者の権限を有する者が操作できるものである。
【０２０２】
住宅施工事例情報管理画面１６０の左上部には、新規に住宅施工事例情報を作成するための「事例を作成する」ボタン１６１が配置されており、この「事例を作成する」ボタン１６１がクリックされることにより、住宅施工事例情報の新規作成モードとなる。
【０２０３】
この「事例を作成する」ボタン１６１の下方には、施工事例名を入力するための施工事例名入力欄１６２と、この施工事例とする住宅を構成する部材やこの部材の付属部品に関するパンフレットやカタログ等が閲覧できるサイトのＵＲＬを入力するためのリンク入力欄１６３と、この施工事例の画像が格納されているフォルダを指定するためのボタンを兼ねる施工事例画像表示欄１６７と、施工事例の説明文を入力するための施工事例説明文入力欄１６９が配置されている。さらに、住宅施工事例情報管理画面１６０の右上部には、後述する住宅施工事例情報選択画面１８０において、この住宅施工事例情報管理画面１６０で登録された住宅施工事例情報を公開とするか非公開とするかを決定するための「公開」ボタン１６４及び「非公開」ボタン１６５が配置されている。なお、施工事例画像表示欄１６７の右側には、複数個（本実施形態では上下６個ずつ計１２個）の部材代表画像表示欄１６８が横並びに配置されており、それぞれの部材代表画像表示欄１６８には、部品属性情報選択入力画面１１０で確定された部品で構成される部材の代表的な画像が表示される。
【０２０４】
また、施工事例説明文入力欄１６９の右下には、「参照」ボタン１７０、「仕様変更」ボタン１７１、「保存」ボタン１７２、「削除」ボタン１７３が配置されている。
【０２０５】
まず、「仕様変更」ボタン１７１は、現在表示されている施工事例の住宅を構成する部材の部品の属性情報の仕様変更（追加、修正、削除）を行うためのボタンである。すなわち、「仕様変更」ボタン１７１がクリックされると、前述したカテゴリ表示・選択画面４０が表示され、このカテゴリ表示・選択画面４０で、施工事例となる住宅の構成部材のカテゴリの選択を行い、この選択されたカテゴリに属する構成部材の選択を構成部材表示・選択画面６０で行い、選択された構成部材の部品の選択を部品表示・選択画面８０で行い、選択された部品の属性の仕様変更を部品属性情報選択入力画面１１０で行うことになる。部品の仕様変更が完了した後は、確定部品一覧表示画面１３０の「施工事例として反映」ボタン１３７をクリックして、仕様変更後の部品情報を住宅施工事例情報明細テーブルに登録（反映）させる。
【０２０６】
なお、「事例を作成する」ボタン１６１をクリックして新規に住宅施工事例情報を作成する場合においても、「仕様変更」ボタン１７１をクリックして現在表示されている施工事例の住宅を構成する部材の部品の属性情報の新規登録を行い、この後、確定部品一覧表示画面１３０の「施工事例として反映」ボタン１３７をクリックして、新規登録した部品情報を住宅施工事例情報明細テーブルに登録（反映）させる必要がある。
【０２０７】
一方、「参照」ボタン１７０は、部品属性情報選択入力画面１１０で確定した部品の属性情報を確認するためボタンである。すなわち、「参照」ボタン１７０がクリックされると、図１１に示す確定部品一覧表示画面２３０（ポップアップウィンドウ形式）が表示され、この確定部品一覧表示画面２３０で確定した部品の属性情報を確認する。なお、この確定部品一覧表示画面２３０は、前述した図９の確定部品一覧表示画面１３０とほぼ同様のレイアウトを有しており、この確定部品一覧表示画面１３０と異なるのは、「印刷」ボタン１５２、「施工事例として反映」ボタン１３７、「帳票出力」ボタン１３３、「担当者モード」ボタン１４８、及び「顧客モード」ボタン１４９がない点である。なお、図１１に示す確定部品一覧表示画面２３０の表示用データは、サーバ１の処理手段２０により作成され、サーバ１の処理手段２０の図示しない第２確定部品一覧表示画面表示データ送信処理手段により端末装置３へ送信される。
【０２０８】
「保存」ボタン１７２がクリックされることにより、住宅施工事例情報管理画面１６０に表示されている施工事例名、リンク情報、施工事例画像、施工事例説明文、公開／非公開設定区分、販売エリアＩＤ等の情報がサーバ１に送信され、これらの情報は、サーバ１の処理手段２０の図示しない住宅施工事例情報登録処理手段により、住宅施工事例情報ヘッダーテーブルに記憶（登録又は更新）される。また、確定された部品の属性情報等の情報もサーバ１に送信され、これらの情報も、サーバ１の処理手段２０の図示しない住宅施工事例情報登録処理手段により、住宅施工事例情報明細テーブルに記憶（登録又は更新）される。
【０２０９】
なお、住宅施工事例情報ヘッダーテーブルの販売エリアＩＤには、住宅施工事例情報管理画面１６０で施工事例情報を登録した担当者が所属する住宅販売店が属する販売エリアの識別情報が、サーバ１の図示しない販売エリアマスタの情報に基づいて移送される。なお、住宅施工事例情報管理画面１６０で施工事例情報を登録した担当者の所属先が住宅メーカーである場合には、販売エリアＩＤにはＮＵＬＬが移送される。
【０２１０】
このため、住宅施工事例情報管理画面１６０で登録された施工事例情報が住宅メーカーの担当者により入力されたもの（販売エリアＩＤ＝ＮＵＬＬ）である場合には、この住宅施工事例情報はメーカー仕様住宅施工事例情報となり、一方、住宅施工事例情報管理画面１６０で登録された施工事例情報が住宅販売店の担当者により入力されたもの（販売エリアＩＤ≠ＮＵＬＬ）である場合には、この住宅施工事例情報は販売店仕様住宅施工事例情報となる。すなわち、本実施形態では、住宅施工事例情報ヘッダーテーブル及び住宅施工事例情報明細テーブルの各レコードのうち、販売エリアＩＤ＝ＮＵＬＬのレコードがメーカー仕様住宅施工事例情報レコードとなり、販売エリアＩＤ≠ＮＵＬＬのレコードが販売店仕様住宅施工事例情報レコードとなる。
【０２１１】
住宅施工事例情報管理画面１６０に登録済の住宅施工事例情報が表示されている場合において、「削除」ボタン１７３がクリックされると、現在表示されている住宅施工事例情報の削除要求がサーバ１に送信され、サーバ１の処理手段２０の図示しない住宅施工事例情報削除処理手段により、住宅施工事例情報管理画面１６０に表示されている住宅施工事例情報が、住宅施工事例情報ヘッダーテーブル及び住宅施工事例情報明細テーブルから削除される処理が実行される。
【０２１２】
図１０に示す住宅施工事例情報管理画面１６０の下部には、住宅施工事例情報テーブル１７に登録済の住宅施工事例情報の一覧を表示するためのウィンドウが配置されており、このウィンドウには、複数個（本実施形態では９個）の施工事例画像サムネイル表示欄１７４及び公開／非公開設定区分表示欄１７５が横並びに配置されている。それぞれの施工事例画像サムネイル表示欄１７４には、住宅施工事例情報ヘッダーテーブルに登録済のレコードの施工事例画像のサムネイルが表示され、それぞれの公開／非公開設定区分表示欄１７５には、住宅施工事例情報ヘッダーテーブルに登録済のレコードの公開／非公開区分の区分名称（「公開」又は「非公開」）が表示される。住宅施工事例情報管理画面１６０の下部に表示される住宅施工事例情報テーブル１７のレコード件数が９件を超えた場合には、横スクロールバー１７６が表示され、この横スクロールバー１７６を操作することにより、住宅施工事例情報テーブル１７に登録されている全ての施工事例情報を表示させることできる。なお、住宅施工事例情報ヘッダーテーブルに登録済のレコードの抽出処理は、サーバ１の処理手段２０の図示しない住宅施工事例情報抽出処理手段により行われる。
【０２１３】
図１２は、住宅施工事例情報テーブル１７に登録（記憶）された住宅施工事例情報の一覧を表示するとともにこの一覧から住宅施工事例情報を選択させるための住宅施工事例情報選択画面１８０を示す図である。なお、この住宅施工事例情報選択画面１８０は、前述したインフォメーション画面の「施工事例」ボタンをクリックすることにより表示される。また、図示されていないが、カテゴリ表示・選択画面４０や確定部品一覧表示画面１３０の最上部にも「施工事例」ボタンが配置されており、これらの画面からも、住宅施工事例情報選択画面１８０を表示させることができるようになっている。
【０２１４】
この住宅施工事例情報選択画面１８０は、住宅施工事例情報テーブル１７に登録されたメーカー仕様住宅施工事例情報の一覧を表示するとともにこの一覧からメーカー仕様住宅施工事例情報を選択させるためのメーカー仕様住宅施工事例情報選択画面と、住宅施工事例情報テーブル１７に登録された販売店仕様住宅施工事例情報の一覧を表示するとともにこの一覧から販売店仕様住宅施工事例情報を選択させるための販売店仕様住宅施工事例情報選択画面を兼ねたものとなっている。
【０２１５】
図１２に示すように、住宅施工事例情報選択画面１８０の下部には、複数個（本実施形態では９個）の施工事例画像サムネイル表示欄１８３と施工事例名表示欄１８４が横並びに配置されており、それぞれの施工事例画像サムネイル表示欄１８３には、住宅施工事例情報ヘッダーテーブルのメーカー仕様又は販売店仕様の各住宅施工事例情報レコードの施工事例画像のサムネイルが表示され、それぞれの施工事例名表示欄１８４には、住宅施工事例情報ヘッダーテーブルのメーカー仕様又は販売店仕様の各住宅施工事例情報レコードの施工事例名が表示される。このように、住宅施工事例情報選択画面１８０の下部には、住宅施工事例情報ヘッダーテーブルに記憶されたメーカー仕様又は販売店仕様の各住宅施工事例情報の一覧が表示される。住宅施工事例情報選択画面１８０の下部に表示されるメーカー仕様又は販売店仕様の住宅施工事例情報レコードの件数が９件を超えた場合には、横スクロールバー１８５が表示され、この横スクロールバー１８５を操作することにより、全ての住宅施工事例情報レコードを表示させることできる。
【０２１６】
なお、前述したように、住宅施工事例情報ヘッダーテーブル及び住宅施工事例情報明細テーブルのレコードのうち、メーカー仕様のレコードは、販売店ＩＤ＝ＮＵＬＬのレコードとなっており、販売店仕様のレコードは、販売店ＩＤ≠ＮＵＬＬのレコードとなっており、メーカー仕様及び販売店仕様の各レコードの抽出処理は、サーバ１の処理手段２０の図示しない住宅施工事例情報抽出処理手段により実行される。なお、住宅販売店仕様のレコードには、確定部品一覧表示画面１３０の「施工事例として反映」ボタン１３７をクリックすることにより住宅施工事例情報テーブル１７に記憶された顧客仕様の住宅施工事例情報レコードが含まれる。
【０２１７】
住宅施工事例情報の一覧の左上部には、トグルボタンとなっている「販売エリア仕様」タブ１８１及び「モデル仕様」タブ１８２が配置されており、「販売エリア仕様」タブ１８１がクリックされることにより、施工事例画像サムネイル表示欄１８３には、住宅施工事例情報ヘッダーテーブルの販売店仕様の住宅施工事例情報レコードの施工事例画像のサムネイルが表示され、施工事例名表示欄１８４には、住宅施工事例情報ヘッダーテーブルの販売店仕様の住宅施工事例情報レコードの施工事例名が表示される。一方、「モデル仕様」タブ１８２がクリックされることにより、施工事例画像サムネイル表示欄１８３には、住宅施工事例情報ヘッダーテーブルのメーカー仕様の住宅施工事例情報レコードの施工事例画像のサムネイルが表示され、施工事例名表示欄１８４には、住宅施工事例情報ヘッダーテーブルのメーカー仕様の住宅施工事例情報レコードの施工事例名が表示される。
【０２１８】
このように、住宅施工事例情報記憶手段である住宅施工事例情報テーブル１７を構成する住宅施工事例情報ヘッダーテーブルには、メーカー仕様住宅施工事例の画像情報が記憶されており、メーカー仕様住宅施工事例情報選択画面の表示用データには、メーカー仕様住宅施工事例の画像情報が含まれている。これと同様に、住宅施工事例情報ヘッダーテーブルには、販売店仕様住宅施工事例の画像情報が記憶されており、販売店仕様住宅施工事例情報選択画面の表示用データには、販売店仕様住宅施工事例の画像情報が含まれている。
【０２１９】
なお、「販売エリア仕様」タブ１８１あるいは「モデル仕様」タブ１８２がクリックされることにより、住宅施工事例情報選択画面１８０の画面切換を行うための要求信号が端末装置３からサーバ１へ送信される。この要求信号を受信したサーバ１では、サーバ１が備える処理手段２０の住宅施工事例情報選択画面切換処理手段３６により、要求信号に応じて、端末装置３へ送信するメーカー仕様住宅施工事例情報選択画面の表示用データと、販売店仕様住宅施工事例情報選択画面の表示用データと、を切り換える処理が実行される。
【０２２０】
なお、「販売エリア仕様］タブ１８１がクリックされたとき、施工事例画像サムネイル表示欄１８３及び施工事例名表示欄１８４に表示される施工事例情報は、担当者が所属する住宅販売店では販売されない住宅の施工事例情報は表示されないようになっている。例えば、担当者が北海道の住宅販売店に所属している場合には、施工事例画像サムネイル表示欄１８３及び施工事例名表示欄１８４には、例えば、九州・沖縄地方で販売される住宅の施工事例情報は表示されないようになっている。この表示制御処理は、前述した住宅施工事例情報抽出処理手段により行われ、システムにログインした担当者が所属する住宅販売店の識別情報（例えば、販売店ＩＤ）と、住宅施工事例情報ヘッダーテーブルの販売エリアＩＤとを関連付けたマスタを備えることにより可能となっている。
【０２２１】
施工事例画像サムネイル表示欄１８３に表示されている複数の施工事例画像のサムネイルのうち、顧客が希望する仕様の施工事例あるいは担当者が勧める仕様の施工事例の画像のサムネイルがクリックされることにより、施工事例が選択されたことになる。これにより、住宅施工事例情報選択画面１８０の上部には、選択した施工事例の詳細情報が表示される。
【０２２２】
図１２に示すように、住宅施工事例情報選択画面１８０の上部には、施工事例名表示欄１８６、施工事例画像表示欄１８７、複数個（本実施形態では上下６個ずつ計１２個）の部材代表画像表示欄１８８、及び事例説明文表示欄１８９が配置されている。施工事例名表示欄１８６には、住宅施工事例情報ヘッダーテーブルの施工事例名称が表示され、施工事例画像表示欄１８７には、住宅施工事例情報ヘッダーテーブルの施工事例画像が表示される。また、部材代表画像表示欄１８８には、住宅施工事例情報明細テーブルのレコードのうちの代表的な部材（サーバ１の代表部材設定テーブルに予め登録されているもの）のレコードの部品の属性画像が表示され、施工事例説明文表示欄１８９には、住宅施工事例情報ヘッダーテーブルの施工事例説明文が表示される。なお、部材代表画像表示欄１８８に表示される部材代表画像の個数は、本実施形態では１２個までとなっており、また、この部材代表画像表示欄１８８に代表画像が表示される部材は、前述した構成部材の下位カテゴリ、例えば、「外部色」、「屋根材」、「外装材」、「玄関ドア」、「外部建具」、「洋間造作」、「洋建具」、「階段シリーズ」、「玄関収納シリーズ」、「キッチンシリーズ」、「バスユニットシリーズ」、「洗面化粧台シリーズ」等である。
【０２２３】
また、図１２に示すように、住宅施工事例情報選択画面１８０の右上部には、「詳細へ」ボタン１９０、「リンク」ボタン１９１が配置されており、「詳細へ」ボタン１９０がクリックされると、前述した図１１に示す確定部品一覧表示画面２３０（ポップアップウィンドウ形式）が表示され、顧客は、この確定部品一覧表示画面２３０において、選択した施工事例の構成部材の部品の属性情報を確認することができる。また、「リンク」ボタン１９１がクリックされると、別ウィンドウが開き、このウィンドウには、住宅施工事例情報ヘッダーテーブルのリンクに格納されているＵＲＬ先のサイト（例えば、部品のカタログやパンフレットが閲覧できるサイト）が表示される。
【０２２４】
顧客がこの住宅施工事例情報選択画面１８０で選択した施工事例に同意した場合には、住宅販売店の担当者は「事例をコピーする」ボタン１９２をクリックする。これにより、顧客が選択した施工事例の住宅施工事例情報明細テーブルの情報（正確には、顧客が選択した施工事例の識別情報である施工事例ＩＤを有する（キーに持つ）住宅施工事例情報明細テーブルの全レコード）が、前述した顧客情報管理画面で取得された顧客の識別情報である顧客ＩＤと関連付けて住宅仕様情報テーブル１１に記憶（書込）されることになる。なお、住宅施工事例情報テーブル１７に前記顧客ＩＤを有するレコードが既に存在する場合には、この顧客ＩＤを有するレコードを全件削除後、顧客が選択した施工事例の住宅施工事例情報明細テーブルのレコードが住宅仕様情報テーブル１１に書き込まれる。すなわち、住宅施工事例情報テーブル１７のレコードのうち、前記顧客ＩＤを有する既存レコードが、顧客が選択した施工事例の住宅施工事例情報明細テーブルのレコードに置き換わる。
【０２２５】
なお、住宅施工事例情報ヘッダーテーブルに登録されたメーカー仕様住宅施工事例情報の一覧を表示するとともにこの一覧からメーカー仕様住宅施工事例情報を選択させるためのメーカー仕様住宅施工事例情報選択画面の表示用データを端末装置３へ送信するとともに、メーカー仕様住宅施工事例情報選択画面で選択されて端末装置３からネットワーク２を介して送信されてくるメーカー仕様住宅施工事例情報（施工事例の識別情報である施工事例ＩＤ）を受信する処理は、サーバ１の処理手段２０の住宅施工事例情報選択受付処理手段３５により実行される。これと同様に、住宅施工事例情報ヘッダーテーブルに登録された販売店仕様住宅施工事例情報の一覧を表示するとともにこの一覧から販売店仕様住宅施工事例情報を選択させるための販売店仕様住宅施工事例情報選択画面の表示用データを端末装置３へ送信するとともに、販売店仕様住宅施工事例情報選択画面で選択されて端末装置３からネットワーク２を介して送信されてくる販売店仕様住宅施工事例情報（施工事例の識別情報である施工事例ＩＤ）を受信する処理も、住宅施工事例情報選択受付処理手段３５により実行される。
【０２２６】
また、住宅施工事例情報選択受付処理手段３５により受け付けたメーカー仕様住宅施工事例情報を、ログイン後に端末装置３に表示される顧客情報管理画面で選択されてこの端末装置３からネットワーク２を介して送信されてくる顧客の識別情報である顧客ＩＤと関連付けて住宅仕様情報テーブル１１に記憶させる処理は、サーバ１の処理手段２０の住宅施工事例情報参照登録処理手段３７により実行される。これと同様に、住宅施工事例情報選択受付処理手段３５により受け付けた販売店仕様住宅施工事例情報を、ログイン後に端末装置３に表示される顧客情報管理画面で選択されてこの端末装置３からネットワーク２を介して送信されてくる顧客ＩＤと関連付けて住宅仕様情報テーブル１１に記憶させる処理も、住宅施工事例情報参照登録処理手段３７により実行される。
【０２２７】
図９の確定部品一覧表示画面１３０において、「帳票出力」ボタン１３３がクリックされると、出力（サーバ１からダウンロード）する帳票（シート）を選択させるための図１３に示すラジオボタン形式の帳票出力メニューダイアログボックス２４０が表示される。
【０２２８】
図１３に示すように、選択させる帳票には、上から順に「フィニッシュシート（解像度Ｍ）」、「仕上表」、「セレクション見積依頼」、「発注シート」、「フィニッシュシート（解像度Ｓ）」、「フィニッシュシート（解像度Ｌ）」の６帳票がある。
【０２２９】
「フィニッシュシート（解像度Ｍ）」、「フィニッシュシート（解像度Ｓ）」、「フィニッシュシート（解像度Ｌ）」は、仕様が確定した構成部材の部品の属性情報及び画像情報を一覧表化したもの（確定部品一覧表）を、パーソナルコンピュータのアプリケーションソフトウェア（本実施形態では、表計算ソフト）で読み込み可能なファイル形式の帳票データファイルにしたものであり、この帳票データファイルは、サーバ１の帳票データファイル作成処理手段５０により作成されるものである。すなわち、サーバ１の帳票データファイル作成処理手段５０は、住宅仕様情報テーブル１１のレコードのうち、端末装置３に表示される前述した顧客情報管理画面で選択された顧客の識別情報である顧客ＩＤ（現在処理対象の顧客の顧客ＩＤ）を有するサーバ１の住宅仕様情報テーブル１１のレコードのうち、仕様が確定したレコード（確定保留区分＝１のレコード）を抽出し、この抽出したレコードの部品の属性情報及び画像情報に基づき、フィニッシュシートの帳票テンプレートが記憶されているサーバ１の図示しないテンプレート記憶手段であるテンプレートファイルを参照しながら、上記フィニッシュシートの帳票データファイルを作成する（以下に説明する他の帳票も同様）。
【０２３０】
上記３つのフィニッシュシートのレイアウトは同じであり、異なるのは画像情報の解像度である。この解像度は、解像度Ｓ（Ｓｍａｌｌ）、解像度Ｍ（Ｍｉｄｄｌｅ）、解像度Ｌ（Ｌａｒｇｅ）の順に高くなっていくものである。したがって、「フィニッシュシート（解像度Ｓ）」、「フィニッシュシート（解像度Ｍ）」、「フィニッシュシート（解像度Ｌ）」の順に、ファイルサイズが大きくなる。
図１３に示す帳票出力メニューダイアログボックス２４０において、「フィニッシュシート（解像度Ｓ）」、「フィニッシュシート（解像度Ｍ）」、「フィニッシュシート（解像度Ｌ）」のいずれかが選択され、「ＯＫ」ボタン２４１がクリックされると、図１４に示す確認ダイアログボックス２５０が表示される。なお、帳票出力メニューダイアログボックス２４０において、「キャンセル」ボタン２５２がクリックされると、帳票出力メニューダイアログボックス２４０が画面からクリア（消去）され、図９の確定部品一覧表示画面１３０が表示される。
【０２３１】
図１４に示すダウンロード確認ダイアログボックス２５０において、「ＯＫ」ボタン２５１がクリックされると、サーバ１の帳票データファイル作成処理手段５０による帳票データファイルの作成処理と、帳票データファイル送信処理手段５１による帳票データファイルのサーバ１から端末装置３への送信（ダウンロード）処理が行われる。なお、作成された帳票データファイルはサーバ１で圧縮されてもよく、圧縮されなくてもよい。また、帳票データファイルがダウンロードされる場所（端末装置３のドライブ、フォルダ等）は、予め環境設定ファイルに登録された場所でもよく、ダウンロードする際に指定するものでもよい。なお、ダウンロード確認ダイアログボックス２５０において、「キャンセル」ボタン２５２がクリックされると、確認ダイアログボックス２５０が画面からクリア（消去）され、図９の確定部品一覧表示画面１３０が表示される。
【０２３２】
なお、「ＯＫ」ボタン２５１がクリックされた場合において、サーバ１の住宅仕様情報テーブル１１のレコードに、担当者側（担当者モード画面）で仕様が確定していない（未確定の）のレコードが存在する場合には、処理続行確認ダイアログボックス（ＯＫ（処理続行）又はキャンセル（処理中止））が表示され、「ＯＫ」ボタンがクリックされると、未確定のデータを含んだ帳票データファイル作成処理、及びダウンロード処理が開始される。一方、「キャンセル」ボタンがクリックされると、上記処理続行確認ダイアログボックスが画面からクリア（消去）され、図９の確定部品一覧表示画面１３０が表示される。
【０２３３】
本実施形態では、サーバ１で作成される表計算ファイル形式となっているフィニッシュシートの帳票データファイルは、１ファイルに「外部仕様シート」、「内部仕様シート」、「水廻り設備仕様シート」、「内装仕様シート」、「全画像仕様シート」の５シートが出力されたものとなっている。「外部仕様シート」は、図２のカテゴリ表示・選択画面４０に示されている上位カテゴリ「外部」に属する構成部材の確定部品画像一覧表であり、「内部仕様シート」は、図２のカテゴリ表示・選択画面４０に示されている上位カテゴリ「内部」に属する構成部材（下位カテゴリ「内装」に属する構成部材を除く）の確定部品画像一覧表であり、「水廻り設備仕様シート」は、図２のカテゴリ表示・選択画面４０に示されている上位カテゴリ「水廻り設備」に属する構成部材の確定部品画像一覧表であり、「内装仕様シート」は、図２のカテゴリ表示・選択画面４０に示されている上位カテゴリ「内部」のうち、下位カテゴリ「内装」に属する構成部材の確定部品画像一覧表であり、「全画像仕様シート」は、全カテゴリに属する構成部材の確定部品画像一覧表である。
【０２３４】
図１５は、図１３に示す帳票出力メニューダイアログボックス２４０において「フィニッシュシート」が選択されることにより、サーバ１で作成され、端末装置３にダウンロードされたフィニッシュシート（言い換えると、確定部品画像一覧表）のデータファイルを解凍したものを、端末装置３あるいは別のパーソナコンピュータにインストールされた表計算ソフトで読み込み、１ファイルに含まれている上記５シートのうちの「水廻り設備仕様シート」の１頁分を画面表示させたときの図であり、図１６は、この図１５の部分拡大図である。
【０２３５】
図１５に示すように、水廻り設備シート２６０（「外部仕様シート」、「内部仕様シート」も同様）では、１頁に表示（出力）できる部品の数、言い換えると、１頁当たりの部品の表示（出力）領域の数は、最大で３０個となっており、部品によっては、表示領域を通常の表示領域の約４倍の大きさとすることができる。この図１５の出力例では、２個の部品の表示領域２６１が通常の表示領域２６２の約４倍の大きさとなっており、このため、１頁当たりの部品の表示領域の数は、合計２４個となっている。なお、図１５に示す水廻り仕様シート２６０（「外部仕様シート」、「内部仕様シート」、「全体画像仕様シート」も同様）における部品情報の配置順序（編集順序）は、１頁を左右に２分割し、左半分の左上（１行目１番左の表示領域）から横方向（右方向）に順に埋めて行き、左半分が全て埋まったら、右半分の左上（１行目１番左の表示領域）から横方向（右方向）に順に埋めて行く。なお、部品の表示領域の大きさの設定（１倍／４倍の設定）は、サーバ１に備えられている図示しない部品ＩＤを識別情報とする印刷設定テーブルに予め記憶されている。
【０２３６】
図１６に示すように、水廻り設備シート２６０において、表示領域が４倍の大きさとなっている部品の表示領域２６１の最上部には、下位カテゴリの名称及び構成部材（この部材に付属する部品を含む）の部材名称等が表示される表示領域２６１Ａが配置され、表示領域２６１には、構成部材の部品の全体画像が表示される表示領域２６１Ｂと、構成部材の部品の属性情報である選択された色の画像が表示される表示領域２６１Ｃと、構成部材の部品の品名が表示される表示領域２６１Ｄと、構成部材の部品の属性情報である選択された色の文字情報が表示される表示領域２６１Ｅが配置される。
【０２３７】
これと同様に、水廻り設備シート２６０において、表示領域が１倍の大きさとなっている部品の表示領域２７１の最上部には、下位カテゴリの名称及び構成部材（この部材に付属する部品を含む）の部材名称等が表示される表示領域２７１Ａが配置され、表示領域２７１には、構成部材の部品の全体画像が表示される表示領域２７１Ｂと、構成部材の部品の属性情報である選択された色の画像が表示される表示領域２７１Ｃと、構成部材の部品の品名が表示される表示領域２７１Ｄと、構成部材の部品の属性情報である選択された色の文字情報が表示される表示領域２７１Ｅが配置される。
【０２３８】
なお、表示領域２６１Ａ，２６２Ａには、カテゴリ情報マスタ１３のカテゴリ名称と部材情報マスタ１４の部材名称が編集され、表示領域２６１Ｂ，２６２Ｂには、部品情報マスタ１５の部品画像が編集され、表示領域２６１Ｃ，２６２Ｃには、住宅仕様情報テーブル１１の属性画像が編集され、表示領域２６１Ｄ，２６２Ｄには、住宅仕様情報テーブル１１の確定品名が編集され、表示領域２６１Ｅ，２６２Ｅには、住宅仕様情報テーブル１１の属性種別と属性値が編集される。
【０２３９】
一方、「内装仕様シート」の１頁当たりの内装（部品）の表示領域の数は、４８個固定（１頁を上下左右に４分割し、それぞれの領域（左上半分、左下半分、右上半分、右下半分）に、横４個×縦３個（４行×３列）の表示領域が存在）となっている。図１７には、内装仕様シート２７０の４分割された領域のうちの左上半分の領域の拡大図が示されている。
【０２４０】
図１７に示すように、左上半分の領域には、内装が施される部屋の内装の表示領域２７１が横方向に４個配置されており、それぞれの部屋の内装の表示領域２７１は、内装が施される部屋の部分である天井の内装の表示領域２７２、壁の内装の表示領域２７３、床の内装の表示領域２７４が上から並んだものとなっている。
【０２４１】
また、天井の内装の表示領域２７２は、天井の内装（部品）の画像情報の表示領域２７２Ａと、品名や色等の属性情報（文字情報）の表示領域２７２Ｂとで構成されている。これと同様に、壁の内装の表示領域２７３も、壁の内装（部品）の画像情報の表示領域２７３Ａと、品名や色等の属性情報の表示領域２７３Ｂとで構成され、床の内装の表示領域２７４も、床の内装（部品）の画像情報の表示領域２７４Ａと、品名や色等の属性情報の表示領域２７４Ｂとで構成されている。画像情報の表示領域２７２Ａ，２７３Ａ，２７４Ａには、住宅仕様情報テーブル１１の属性画像が編集され、属性情報の表示領域２７２Ｂ，２７３Ｂ，２７４Ｂには、住宅仕様情報テーブル１１の属性種別と属性値が編集される。また、それぞれの部屋の内装の表示領域２７１の最上部には、内装が施される部屋の階数及び部屋名の表示領域２７５が配置されている。なお、内装が施される部屋の階数及び部屋名は、図示しないパターンテーブルに予めパターン登録されており、各部屋への内装（部品）の登録は、前記パターンテーブルに基づく図示しない仕上材登録画面で行われるようになっている。
【０２４２】
なお、「内装仕様シート」の出力対象となる住宅仕様情報テーブル１１のレコードは、仕上区分＝１（床仕上），２（壁・天井仕上）のレコードであり、壁／天井の判定は、仕上場所区分＝１（壁），（天井）で行われる。なお、内装仕様シート２７０の他の３つの領域（左下半分、右上半分、右下半分）も、上述した左上半分の領域と同様の構成をしている。
【０２４３】
なお、図１７に示す内装仕様シート２７０における部屋の内装（部品）情報の配置順序（編集順序）は、４分割した領域のうち、左上半分の１番左の表示領域２７１から横方向（右方向）に順に埋めて行き、左上半分が全て埋まったら、左下半分の１番左の表示領域２７１から横方向（右方向）に順に埋めて行く。そして、左下半分が全て埋まったら、部屋の内装（部品）情報を、右上半分、右下半分の順に埋めて行く。
【０２４４】
なお、図示されていないが、帳票データファイルである「全画面仕様シート」（言い換えると、全部品画像情報一覧表）では、部品の表示領域は、全て、図１７の水廻り設備シート２６０の通常の表示領域２６２と同じ大きさを有しており、このため、「全画面仕様シート」の１頁当たりの部品の表示領域の数は、３０個固定（左半分、右半分ともに、横３個×縦５個（３行×５列））となっている。この「全画面仕様シート」では、図１７の水廻り設備シート２６０の表示領域２６２Ｃのような構成部材の部品の属性情報である選択された色の画像が示される表示領域は設けられていない。また、この「全画面仕様シート」では、それぞれの部品の表示領域の右上には、部品の仕様の確定状況を表示する表示領域が配置されており、確定している部品（住宅仕様情報テーブル１１のうちの確定保留区分＝１（確定）のレコード）については「確定」が、保留となっている部品（住宅仕様情報テーブル１１のうちの確定保留区分＝２（保留）のレコード）については「保留中」が前記表示領域に表示される。
【０２４５】
なお、図１３に示す帳票出力メニューダイアログボックス２４０において、「発注シート」が選択されることにより、サーバ１の帳票データファイル作成処理手段５０により作成され、帳票データファイル送信処理手段５１により端末装置３に送信（ダウンロード）される帳票データファイルである「発注シート」（言い換えると、発注部品情報一覧表）は、販売店担当者が、確定された部品の発注処理を発注担当者に依頼する際に、発注担当者に提出する帳票であり、出力される情報は、図９に示す確定部品一覧表示画面１３０に表示される情報とほぼ同じものである。
【０２４６】
また、図１３に示す帳票出力メニューダイアログボックス２４０において、「セレクション見積依頼」が選択されることにより、サーバ１の帳票データファイル作成処理手段５０により作成され、帳票データファイル送信処理手段５１により端末装置３に送信される帳票データファイルである「セレクション見積依頼」（言い換えると、他社製部品見積依頼情報一覧表）は、確定された部品のうち、他社製の部品（住宅仕様情報テーブル１１のうちのメーカー区分＝２（資材メーカー）のレコード）を発注するための発注システム（本実施形態とは別のシステム）に入力するための情報が出力された帳票であり、出力される情報は、上記「発注シート」に出力される情報とほぼ同じものである。
【０２４７】
さらに、図１３に示す帳票出力メニューダイアログボックス２４０において、「仕上表」が選択（クリック）されることにより、サーバ１の帳票データファイル作成処理手段５０により作成され、帳票データファイル送信処理手段５１により端末装置３に送信される帳票データファイルである「仕上表」は、内装・外装の仕上げをそれぞれ表にまとめた帳票であり、１ファイルに２シートが出力される。一方のシートには、室名を縦軸に、床・壁・天井などの部位を横軸にして表にした内部仕上表や、内部仕様、外部仕様、附帯部品・設備仕様等の情報をそれぞれ表にしたものが含まれ、他方のシートは、前記付帯部品・設備仕様の詳細情報を表にしたものである。なお、内部仕上表の出力対象となる住宅仕様情報テーブル１１のレコードは、仕上区分＝１（床仕上），２（壁・天井仕上）のレコードであり、壁／天井の判定は、仕上場所区分＝１（壁），（天井）で行われる。
【０２４８】
なお、図１３に示す帳票出力メニューダイアログボックス２４０において選択することにより作成される上述した各帳票データファイルは、表計算ソフトで読み込み可能となっており、このため、これらの帳票データファイルは、画面で見るだけでなく、プリンターに印刷（デフォルトはＡ３サイズ、表計算ソフト側でＡ４サイズ等に縮小可）することができる。また、これらの帳票データファイルの画像情報は、表計算ソフト側で拡大が自由にできるようになっている。
【０２４９】
以上説明した本実施形態に係る住宅仕様確定支援システムでは、サーバ１にネットワーク２を介して接続された端末装置３の利用者である住宅販売担当者が、顧客と住宅の仕様情報を確定するための打合せを行うにあたって、担当者は、顧客と住宅を構成する全ての部材についての仕様情報を確定するための打合せを行う必要なく、端末装置３に表示される住宅施工事例情報選択画面１８０において、住宅メーカーにより予め選定されたメーカー仕様の住宅仕様情報で構成されるメーカー仕様住宅施工事例情報や、住宅販売店により予め選定された販売店仕様の住宅仕様情報で構成される販売店仕様住宅施工事例情報を顧客に選択させることにより、この選択された住宅施工事例情報が顧客の住宅仕様情報として住宅仕様情報記憶手段である住宅施工事例情報テーブル１７に登録（記憶）される。この後、担当者は、顧客の希望に応じて、住宅施工事例情報テーブル１７に登録された住宅仕様情報を、カテゴリ表示・選択画面４０、構成部材表示・選択画面６０、部品表示・選択画面８０、及び部品属性情報選択入力画面１１０を利用して適宜追加・変更・削除する作業を行えばよい。
【０２５０】
このため、本実施形態によると、住宅仕様情報を確定するための打合せの時間の短縮を図ることできる。すなわち、住宅仕様情報を確定するための打合せを迅速に行うことができるようになる。
【０２５１】
また、本実施形態では、端末装置３に表示される住宅施工事例情報選択画面１８０には、住宅施工事例の文字情報（施工事例名や施工事例説明文）の他に画像情報（施工事例画像や部材代表画像）も表示されるため、それだけ顧客が施工事例をより選択し易くなる。
【０２５２】
また、本実施形態では、端末装置３に表示される住宅施工事例情報選択画面１８０では、メーカー仕様の施工事例と販売店仕様の施工事例の両方から選択できるため、顧客が選択できる施工事例がそれだけ多いものとなる。
【０２５３】
また、本実施形態では、端末装置３に表示される住宅施工事例情報選択画面１８０では、メーカー仕様の施工事例を選択するためのメーカー仕様住宅施工事例情報選択画面と、販売店仕様の施工事例を選択するための販売店仕様住宅施工事例情報選択画面の切換をトグルボタンのクリックで行えるようになっている。すなわち、端末装置３では、メーカー仕様住宅施工事例情報選択画面と住宅仕様施工事例情報選択画面を交互に容易に切り換えることができる。
【０２５４】
このため、本実施形態に係る住宅施工事例情報選択画面は、メーカー仕様住宅施工事例情報選択画面と販売店仕様住宅施工事例情報選択画面とを切り換えるために一旦処理選択メニューに戻る方式等と比較して、画面切換の操作性がより向上したものとなっている。
【０２５５】
また、本実施形態では、確定部品一覧表示画面１３０に表示されているサーバ１に登録済の顧客の住宅仕様情報テーブル１１のレコードを、販売店仕様あるいはメーカー仕様（本実施形態では販売店仕様）の施工事例として、住宅施工事例情報テーブル１７に登録することができるようになっている。
【０２５６】
このため、本実施形態によると、登録済（既存）の顧客の住宅仕様情報を、メーカー仕様施工事例情報選択画面や販売店仕様施工事例情報選択画面で選択させる施工事例情報として利用（有効活用）することができる。
【０２５７】
図１８には、図１２の住宅施工事例情報選択画面１８０の別実施形態である住宅施工事例情報選択画面２００が示されている。以下、図１２の住宅施工事例情報選択画面１８０と異なる点について説明する。
【０２５８】
図１２の住宅施工事例情報選択画面１８０において、「事例をコピーする」ボタン１９２がクリックされると、顧客が選択した施工事例の識別番号である施工ＩＤを有する住宅施工事例情報明細テーブルの全レコードが、そのまま無条件に、顧客情報管理画面で取得された顧客の識別情報である顧客ＩＤと関連付けて住宅仕様情報テーブル１１に記憶されるものであった。
【０２５９】
しかし、本実施形態では、「事例をコピーする」ボタン１９２が配置されていた位置には、図１８に示すように、「全部」ボタン２０１と「一部」ボタン２０２の２個のボタンが配置されている。これら２個のボタン２０１，２０２のうち、「全部」ボタン２０１は、図１２の住宅施工事例情報選択画面１８０の「事例をコピーする」ボタン１９２と同様の機能を有するものであるのでその説明は省略する。一方、「一部」ボタン２０２は、顧客が選択した施工事例の識別番号である施工事例ＩＤを有する住宅施工事例情報明細テーブルのレコードのうち、顧客情報管理画面で取得された顧客ＩＤと関連付けて住宅仕様情報テーブル１１に記憶するレコードのカテゴリを任意に選択できるようにするためのものである。
【０２６０】
図１８に示す住宅施工事例情報選択画面２００において、「一部」ボタン２０２がクリックされると、図１９に示すように、住宅施工事例情報選択画面２００で選択された施工事例の識別番号である施工ＩＤを有する住宅施工事例情報明細テーブルのカテゴリの一覧を表示するとともにこの一覧から顧客ＩＤと関連付けて住宅仕様情報テーブル１１に記憶させる前記住宅施工事例情報明細テーブルのカテゴリを少なくとも１個選択させるための住宅施工事例情報カテゴリ表示・選択画面２１０が表示される。
【０２６１】
この住宅施工事例情報カテゴリ表示・選択画面２１０は、図２のカテゴリ表示・選択画面４０と同様に、構成部材のカテゴリの一覧を表示するものとなっており、このカテゴリの一覧の上部には、５個のカテゴリ表示欄２１４が横方向に並んで配置されており、最も左側のカテゴリ表示欄２１４から順に「外部」、「内部」、「水廻り設備」、「電気、空調等」、「インテリア・エクステリア」のカテゴリ名称が表示されている。また、それぞれのカテゴリ表示欄２１４の下には、それぞれのカテゴリ表示欄２１４のカテゴリに属する複数のカテゴリ表示欄２１５が縦方向に並んで配置されている。すなわち、カテゴリ表示欄２１５のカテゴリは、カテゴリ表示欄２１４のカテゴリの下位カテゴリとなっており、言い換えると、カテゴリ表示欄２１４のカテゴリは、カテゴリ表示欄２１５のカテゴリの上位カテゴリとなっている。
【０２６２】
なお、前述した住宅施工事例情報管理画面１６０で作成された事例データ（住宅施工事例情報ヘッダーテーブル及び住宅施工事例情報明細テーブル）のカテゴリ（カテゴリ表示欄２１５のカテゴリ）単位の部品の仕様確定の進捗状況の情報は、図示しない住宅施工事例進捗状況情報テーブル（前述した進捗状況情報テーブル１２と同様のレイアウトを有し、進捗状況区分等の情報が、施工事例の識別情報である施工事例ＩＤと関連付けて記憶されるもの）に記憶されており、住宅施工事例情報カテゴリ表示・選択画面２１０のカテゴリ表示欄２１５に表示されるカテゴリは、住宅施工事例進捗状況情報テーブルの進捗状況区分が１（打合せ中）、２（打合せ済（顧客側））、３（打合せ済（担当者側））のカテゴリのみが表示される。すなわち、住宅施工事例情報カテゴリ表示・選択画面２１０のカテゴリ表示欄２１５には、住宅施工事例進捗状況情報テーブルの進捗状況区分が０（未着手）のカテゴリは表示されない。
【０２６３】
住宅施工事例情報カテゴリ表示・選択画面２１０に表示されたそれぞれのカテゴリ表示欄２１５の近傍（図１９では左側近傍）には、チェックボックス２１６が配置されており、顧客ＩＤと関連付けて住宅仕様情報テーブル１１に記憶させるカテゴリに対しては、左側のチェックボックス２１６をクリックする。クリックされたことにより選択されたカテゴリについては、左側のチェックボックス２１６にレ点が表示され、再度、チェックボックス２１６をクリックすることにより、選択が解除される。
【０２６４】
住宅施工事例情報カテゴリ表示・選択画面２１０において、カテゴリが少なくとも１個選択され、画面右上に配置されている「コピーする」ボタン２１７がクリックされると、選択されたカテゴリの識別情報であるカテゴリＩＤが端末装置３からネットワーク２を介してサーバ１に送信される。なお、住宅施工事例情報カテゴリ表示・選択画面２１０の表示用データを端末装置３へ送信するとともに、住宅施工事例情報カテゴリ表示・選択画面２１０で選択されて端末装置３からネットワーク２を介して送信されてくるカテゴリＩＤを受信する処理は、サーバ１の住宅施工事例情報カテゴリ選択受付処理手段５２により実行される。
【０２６５】
この後、住宅施工事例情報選択画面２００で選択された施工事例の識別番号である施工ＩＤを有する住宅施工事例情報明細テーブル１７Ｂのレコードのうち、サーバ１で受信されたカテゴリに属する構成部材の部品のレコードの属性情報等を、顧客ＩＤと関連付けて住宅仕様情報テーブル１１に記憶させる処理が、サーバ１の住宅施工事例情報参照登録処理手段３８により実行される。なお、住宅仕様情報テーブル１１に選択されたカテゴリＩＤを有するレコードが既に存在している場合には、住宅施工事例情報参照登録処理手段３８により当該レコードが削除された後、住宅仕様情報テーブル１１に書込（記憶）される。
【０２６６】
サーバ１の住宅施工事例情報参照登録処理手段３８による処理が正常に実行された後は、住宅施工事例情報カテゴリ表示・選択画面２１０がクリア（消去）され、図２に示すカテゴリ表示・選択画面４０が表示される。この後、住宅施工事例情報カテゴリ表示・選択画面２１０で選択しなかったカテゴリや、住宅施工事例情報カテゴリ表示・選択画面２１０に表示されなかったカテゴリに属する構成部材の部品の属性情報を確定する。
【０２６７】
なお、住宅施工事例情報カテゴリ表示・選択画面２１０の右上に配置されている「戻る」ボタン２１８がクリックされると、この住宅施工事例情報カテゴリ表示・選択画面２１０がクリア（消去）され、図１８の住宅施工事例情報選択画面２００が再表示される。
【０２６８】
図２０には、前述した図２のカテゴリ表示・選択画面４０の別実施形態であるカテゴリ表示・選択画面３００の部分拡大図が示されている。本実施形態に係るカテゴリ表示・選択画面３００も、担当者モード画面と顧客モード画面とがあり、図２０は、担当者モード画面の部分拡大図である。
【０２６９】
図２０に示されているように、それぞれのカテゴリ表示欄（言い換えるとカテゴリボタン）３０１の近傍（本実施形態ではカテゴリ表示欄３０１の右下隅近傍）には、それぞれのカテゴリの設定情報を変更するための設定ボタンとなっているスパナアイコン３０２が配置されている。このスパナアイコン３０２（図２０では「外壁」のカテゴリ表示欄３０１の右下隅のスパナアイコン３０２）がクリックされると、このスパナアイコン３０２の近傍（本実施形態ではスパナアイコン３０２の右下隅近傍）には、処理メニュー３０３が表示される。この処理メニュー３３０のメニュー項目名は、上段が「このフローをお客様に」、下段が「付箋を」となっており、上段は、顧客モード画面においてカテゴリ表示欄３０１を顧客に見せるか否かを選択させるためのものであり、下段は、それぞれのカテゴリ表示欄３０１のカテゴリに対して付箋を付与するか否かを選択させるためのものである。
【０２７０】
処理メニュー３０３の上段のメニュー項目名「このフローをお客様に」がクリックされると、図２１に示すように、処理メニュー３０３の右側にはサブメニュー３０４が表示される。このサブメニュー３０４のメニュー項目は、上段が「見せる」、下段が「見せない」となっており、「見せる」がクリックされると、この設定対象となっているカテゴリ表示欄３０１が顧客モード画面で表示される。一方、「見せない」がクリックされると、この設定対象となっているカテゴリ表示欄３０１が顧客モード画面で表示されなくなるとともに、この設定対象となっているカテゴリ表示欄３０１の右下隅には、このカテゴリ表示欄３０１が担当者モード画面でのみ表示される設定となっていることを担当者に知らしめるための「担」の文字アイコン３０６が表示される。なお、サブメニュー３０４の「見せる」又は「見せない」がクリックされる、又はキーボードの「ＥＳＣ」キーがクリックされると、処理メニュー３０３及びサブメニュー３０４は、画面からクリア（消去）される。
【０２７１】
一方、図２０において、処理メニュー３０３の下段のメニュー項目名「付箋を」がクリックされると、図２２に示すように、処理メニュー３０３の右側にはサブメニュー３０５が表示される。このサブメニュー３０５のメニュー項目は、上段が「付与する」、下段が「はずす」となっており、「付与する」がクリックされると、図２０に示すように、この設定対象となっているカテゴリ表示欄３０１の左端から突出し、このカテゴリ表示欄３０１の背景色とは異なる色（例えば赤色、図２０では便宜上網掛け表示）を有する長方形状の付箋マーク３０７が表示される。なお、この付箋マーク３０７は、画面のモード（担当者モード、顧客モード）に関係なく表示されるものである。一方、「はずす」がクリックされると、付箋を付与する設定となっているカテゴリ表示欄３０１に表示されていた付箋マークがクリア（消去）される。なお、サブメニュー３０５の「付与する」又は「はずす」がクリックされる、又はキーボードの「ＥＳＣ」キーがクリックされると、処理メニュー３０３及びサブメニュー３０５は、画面からクリア（消去）される。
【０２７２】
前述した図２の実施形態では、カテゴリ表示・選択画面４０のカテゴリ表示欄４５を顧客モード画面で表示／非表示にする設定は、顧客単位で行うことができなかったが、本実施形態では、図２０に示すカテゴリ表示・選択画面３００のカテゴリ表示欄３０１を顧客モード画面で表示／非表示にする設定は、顧客単位で行うことができる。すなわち、表示／非表示にする設定は、現在処理対象となっている顧客に対してのみ有効となる。
【０２７３】
なお、上述したカテゴリの表示／非表示の設定情報や付箋の表示／非表示の設定情報は、カテゴリ表示設定区分（０（顧客に見せる）、１（担当者にのみ見せる））や付箋表示設定区分（０（表示（付与）しない）、１（表示（付与）する））等のデータ項目を追加したサーバ１の進捗状況情報テーブル１２に記憶する。
【０２７４】
したがって、カテゴリ表示・選択画面３００で表示される処理メニュー３０３のサブメニュー３０４で、「見せる」がクリックされると、端末装置３からサーバ１へ「見せる」の選択情報である「０」が送信され、サーバ１の処理手段２０は、受信した選択情報「０」を進捗状況情報テーブル１２のカテゴリ表示設定区分に記憶するとともに、設定対象となっているカテゴリ表示欄３０１の右下隅に「担」の文字アイコン３０６が表示されていないカテゴリ表示・選択画面３００の表示用データを端末装置３へ送信する。
【０２７５】
一方、サブメニュー３０４で、「見せない」がクリックされると、端末装置３からサーバ１へ「見せない」の選択情報である「１」が送信され、サーバ１の処理手段２０は、受信した選択情報「１」を進捗状況情報テーブル１２のカテゴリ表示設定区分に記憶するとともに、設定対象となっているカテゴリ表示欄３０１の右下隅に「担」の文字アイコン３０６を表示したカテゴリ表示・選択画面３００の表示用データを端末装置３へ送信する。
【０２７６】
また、カテゴリ表示・選択画面３００で表示される処理メニュー３０３のサブメニュー３０５で、「付与する」がクリックされると、端末装置３からサーバ１へ「付与する」の選択情報である「１」が送信され、サーバ１の処理手段２０は、受信した選択情報「１」を進捗状況情報テーブル１２の付箋表示設定区分に記憶するとともに、設定対象となっているカテゴリ表示欄３０１の左端から突出し、このカテゴリ表示欄３０１の背景色とは異なる色を有する長方形状の付箋マーク３０７を表示したカテゴリ表示・選択画面３００の表示用データを端末装置３へ送信する。
【０２７７】
一方、サブメニュー３０５で、「はずず」がクリックされると、端末装置３からサーバ１へ「はずす」の選択情報である「０」が送信され、サーバ１の処理手段２０は、受信した選択情報「０」を進捗状況情報テーブル１２の付箋表示設定区分に記憶するとともに、設定対象となっているカテゴリ表示欄３０１の左端からは長方形状の付箋マーク３０７が表示されていないカテゴリ表示・選択画面３００の表示用データを端末装置３へ送信する。
【０２７８】
なお、以上説明した各実施形態では、住宅の仕様情報を確定するために必要な各種マスタや、確定されたデータ及び未確定のデータはすべてサーバ１に格納されている。
【０２７９】
このため、以上説明した各実施形態によると、担当者及び顧客は、Ｗｅｂブラウザを搭載した端末装置３があれば、どこでも、住宅の施工事例情報の閲覧や選択、住宅の仕様情報の選択入力や、選択入力が確定された仕様情報の閲覧等を行うことが可能となる。特に、端末装置３が携帯可能なノートパソコン等となっている場合には、住宅販売店の担当者は、端末装置３を持って顧客の居る場所へ訪問し、その場で顧客と端末装置３を使用しながら住宅仕様の打合せを行うことができるようになる。
【０２８０】
なお、以上説明した各実施形態では、住宅仕様情報テーブル１１と略同じレイアウトを有する住宅施工事例情報明細テーブルは、住宅仕様情報テーブル１１とテーブルを共通化するようにしてもよい。
【０２８１】
また、住宅施工事例情報選択画面のレイアウト、操作性は、以上説明した住宅施工事例情報選択画面１８０，２００のレイアウト、操作性に限定されるものではなく、任意である。
【０２８２】
また、以上説明した各実施形態における各マスタ及び各テーブルの項目、レイアウト、データ構造は一例であり、上述したものに限定されるものではなく、任意なものでよい。
【０２８３】
また、以上説明した各実施形態における構成部材の上位カテゴリ及びカテゴリは一例であり、上述したものに限定されるものではなく、任意なものでよい。例えば、構成部材の上位カテゴリ及びカテゴリは、住宅の種類（戸建、アパート等）によって異なるものとしてもよい。
【産業上の利用可能性】
【０２８４】
本発明は、住宅仕様の確定を支援するための住宅仕様確定支援システムに利用できる。
【符号の説明】
【０２８５】
１  サーバ
２  ネットワーク
３  端末装置
１０  住宅仕様情報記憶手段を構成する顧客情報テーブル
１１  住宅仕様情報記憶手段を構成する住宅仕様情報テーブル
１２  住宅仕様情報記憶手段を構成する進捗状況情報テーブル
１７  住宅施工事例情報記憶手段である住宅施工事例情報テーブル
３４  住宅仕様情報抽出処理手段
３５  住宅施工事例情報選択受付処理手段
３６  住宅施工事例情報選択画面切換処理手段
３７  住宅施工事例情報参照登録処理手段
３８  既登録住宅仕様情報参照登録処理手段
５０  帳票データファイル作成処理手段
５１  帳票データファイル送信処理手段
５２  住宅施工事例情報カテゴリ選択受付処理手段
２１０  住宅施工事例情報カテゴリ表示・選択画面
【図１】
0005528911.tif 000002
【図２】
0005528911.tif 000003
【図３】
0005528911.tif 000004
【図４】
0005528911.tif 000005
【図５】
0005528911.tif 000006
【図６】
0005528911.tif 000007
【図７】
0005528911.tif 000008
【図８】
0005528911.tif 000009
【図９】
0005528911.tif 000010
【図１０】
0005528911.tif 000011
【図１１】
0005528911.tif 000012
【図１２】
0005528911.tif 000013
【図１３】
0005528911.tif 000014
【図１４】
0005528911.tif 000015
【図１５】
0005528911.tif 000016
【図１６】
0005528911.tif 000017
【図１７】
0005528911.tif 000018
【図１８】
0005528911.tif 000019
【図１９】
0005528911.tif 000020
【図２０】
0005528911.tif 000021
【図２１】
0005528911.tif 000022
【図２２】
0005528911.tif 000023